(57)【要約】【課題】ケーシングの外部から内部の電装部品への水の浸入を抑制する。【解決手段】このの室外機は、側板４４及び天板４３を有するケーシング４０と、ケーシング４０内に収容される端子台６０と、端子台６０の近傍位置で開口する配線用開口部４６ａと、配線用開口部４６ａを覆う閉鎖弁カバー５０とを備えている。閉鎖弁カバー５０の上端部５３には、天板４３の縁部４３ｂの外側に配置される外側壁部５３ａと、天板４３の縁部４３ｂの内側に配置される内側壁部５３ｂと、外側壁部５３ａと内側壁部５３ｂとの間に設けられる凹部５３ｃとが形成されている。そして、配線用開口部４６ａの上方の位置において、天板４３の縁部４３ｂが閉鎖弁カバー５０の上端部５３に形成される凹部５３ｃに挿入され、且つ、側板４４の配線用開口部４６ａの上側部分４７が、内側壁部５３ｂの内側に配置される。【選択図】図５
2011021776.tif 000002
【特許請求の範囲】
【請求項１】
底板、前記底板から立設される側板、及び、前記底板と対向配置される天板を有するケーシングと、
前記ケーシング内に収容される電装部品と、
前記側板に形成され、前記電装部品の近傍位置で開口する開口部と、
前記側板の外側に配置され、前記開口部を覆う開口カバーとを備え、
前記開口カバーの上端部には、前記天板の縁部の外側に配置される外側壁部と、前記天板の縁部の内側に配置される内側壁部と、前記外側壁部と前記内側壁部との間に設けられる凹部とが形成されており、
前記開口部の上方の位置において、前記天板の縁部が前記開口カバーの上端部に形成される凹部に挿入され、且つ、前記側板の前記開口部の上側部分が、前記内側壁部の内側に配置されることを特徴とする、室外機。
【請求項２】
前記側板は、前記内側壁部の上方に配置される庇部を含むことを特徴とする、請求項１に記載の室外機。
【請求項３】
前記庇部は、前記天板の縁部に接触していることを特徴とする、請求項２に記載の室外機。
【請求項４】
前記側板の前記開口部の上側部分は、前記内側壁部に接触していることを特徴とする、請求項１〜３のいずれか１項に記載の室外機。
【請求項５】
前記凹部は、前記開口カバーの幅方向に沿って形成されていることを特徴とする、請求項１〜４のいずれか１項に記載の室外機。
【請求項６】
前記側板の外側面であって前記開口部の周囲の少なくとも一部に、溝部が形成されることを特徴とする、請求項１〜５のいずれか１項に記載の室外機。
【請求項７】
前記溝部は、前記開口部の側方に配置され且つ前記開口カバーの側端部が挿入される側方溝部を含むことを特徴とする、請求項６に記載の室外機。
【請求項８】
前記側方溝部は、前記側板の高さ方向に沿って形成されていることを特徴とする、請求項７に記載の室外機。
【請求項９】
前記側方溝部は、前記開口部の両側に設けられていることを特徴とする、請求項７又は８に記載の室外機。
【請求項１０】
前記溝部は、前記開口部の上方に配置され且つ前記開口カバーの上端部が挿入される上方溝部を含むことを特徴とする、請求項６〜９のいずれか１項に記載の室外機。
【請求項１１】
前記上方溝部は、前記側板の幅方向に沿って形成されていることを特徴とする、請求項１０に記載の室外機。
【発明の詳細な説明】
【技術分野】
【０００１】
本発明は、室外機に関し、特に、ケーシングの外側に配置される開口カバーを備えた室外機に関する。
【背景技術】
【０００２】
ケーシングの側面には、ケーシングの内部に収容される電装部品に接続される配線をケーシングの内部から外部に引き回すための開口部が設けられている。そして、当該開口部を介してケーシングの外部から内部に雨水等が侵入しないように、ケーシングの側板の外側に開口部を覆う開口カバー（閉鎖弁カバー）が取り付けられている（例えば、特許文献１参照）。
【先行技術文献】
【特許文献】
【０００３】
【特許文献１】特開２００２−６１８８５号公報
【発明の概要】
【発明が解決しようとする課題】
【０００４】
しかしながら、この特許文献１に記載される空気調和機の室外機では、閉鎖弁カバーの上端部が開口部の上縁部分に係合しているので、当該係合部分と電装部品（通常、開口部の近傍に電装部品が配置される）との距離が近くなる。そのため、室外機が水道水で洗浄される場合や台風などの水圧では、閉鎖弁カバーと側板との係合部分における隙間からケーシングの内部の電装部品に水が浸入してしまうおそれがあった。
【０００５】
そこで、この発明は、上記のような課題を解決するためになされたものであり、ケーシングの外部から内部の電装部品への水の浸入を抑制することが可能な室外機を提供することを目的とする。
【課題を解決するための手段】
【０００６】
第１の発明にかかる室外機は、底板、底板から立設される側板、及び、底板と対向配置される天板を有するケーシングと、ケーシング内に収容される電装部品と、側板に形成され、電装部品の近傍位置で開口する開口部と、側板の外側に配置され、開口部を覆う開口カバーとを備え、開口カバーの上端部には、天板の縁部の外側に配置される外側壁部と、天板の縁部の内側に配置される内側壁部と、外側壁部と内側壁部との間に設けられる凹部とが形成されており、開口部の上方の位置において、天板の縁部が開口カバーの上端部に形成される凹部に挿入され、且つ、側板の開口部の上側部分が、内側壁部の内側に配置される。
【０００７】
この室外機では、
（１）開口部の上方の位置において天板の縁部と開口カバーの上端部とが係合するので、開口部付近に開口カバーの取付箇所を設ける場合（例えば、特許文献１のように、閉鎖弁カバーの上端部が開口部の上縁部分に嵌合する場合）に比べて、当該係合部分と開口部との間の距離を確保することができる。これにより、ケーシングの外部から内部の電装部品までの浸水経路長を長くすることができるので、当該係合部分を介して浸水する水の勢いを低下させて、電装部品への浸水を抑止することができる。
（２）さらに、外側壁部と内側壁部との間に設けられる凹部内に天板の縁部を挿入することで、天板の縁部と開口カバーの上端部との間に蛇行した隙間が形成される。このように構成されたトラップ構造により、電装部品への浸水を効果的に抑止することができる。
（３）また、側板の開口部の上側部分を、内側壁部の内側に配置することによって、当該側板の上側部分が電装部品への浸水を防ぐ防水壁として機能するので、電装部品への浸水をさらに抑止することができる。
【０００８】
第２の発明にかかる室外機は、第１の発明にかかる室外機において、側板は、内側壁部の上方に配置される庇部を含む。
【０００９】
この室外機では、ケーシングの外部から浸入した水が、天板の縁部と開口カバーの上端部との係合部分を通過した場合でも、内側壁部の上方に配置される庇部によって、側板の上方を乗り越えて側板の内側に浸水するのを抑止することができる。つまり、庇部を追加することで、電装部品への浸水をさらに抑止することができる。
【００１０】
第３の発明にかかる室外機は、第２の発明にかかる室外機において、庇部は、天板の縁部に接触している。
【００１１】
この室外機では、側板の庇部と天板の縁部との間に形成される隙間が実質的に無くなり、側板の庇部と天板の縁部との間を介した電装部品への浸水を確実に抑止することができる。
【００１２】
第４の発明にかかる室外機は、第１〜第３のいずれかの発明にかかる室外機において、側板の開口部の上側部分は、内側壁部に接触している。
【００１３】
この室外機では、内側壁部と側板との間に形成される隙間が実質的に無くなり、開口カバーの内側壁部と側板の上側部分との間を介した電装部品への浸水を確実に抑止することができる。
【００１４】
第５の発明にかかる室外機は、第１〜第４のいずれかの発明にかかる室外機において、凹部は、開口カバーの幅方向に沿って形成されている。
【００１５】
この室外機では、開口部の上辺の全幅をカバーすることが可能となるので、開口部の上方からの浸水を抑止することが可能となる。
【００１６】
第６の発明にかかる室外機は、第１〜第５のいずれかの発明にかかる室外機において、側板の外側面であって開口部の周囲の少なくとも一部に、溝部が形成される。
【００１７】
この室外機では、電装部品の周囲に配置される開口部の手前で、ケーシングの外部から侵入した水を、この溝部によって所定の排水箇所に案内することができる。
【００１８】
第７の発明にかかる室外機は、第６の発明にかかる室外機において、溝部は、開口部の側方に配置され且つ開口カバーの側端部が挿入される側方溝部を含む。
【００１９】
この室外機では、側板の側方溝部内に開口カバーの側端部を挿入することで、側板の側方溝部と開口カバーの側端部との間に蛇行した隙間が形成される。このように構成されたトラップ構造により、開口部の側方において、電装部品への浸水を効果的に抑止することができる。
【００２０】
第８の発明にかかる室外機は、第７の発明にかかる室外機において、側方溝部は、側板の高さ方向に沿って形成されている。
【００２１】
この室外機では、開口部の側辺の全幅をカバーすることが可能となるので、開口部の側方からの浸水を抑止することが可能となる。
【００２２】
第９の発明にかかる室外機は、第７又は第８の発明にかかる室外機において、側方溝部は、開口部の両側に設けられている。
【００２３】
この室外機では、開口部の両側方において、電装部品への浸水を効果的に抑止することができる。
【００２４】
第１０の発明にかかる室外機は、第６〜第１０のいずれかの発明にかかる室外機において、溝部は、開口部の上方に配置され且つ開口カバーの上端部が挿入される上方溝部を含む。
【００２５】
この室外機では、側板の上方溝部内に開口カバーの上端部を挿入することで、側板の上方溝部と開口カバーの上端部との間に蛇行した隙間が形成される。このように構成されたトラップ構造により、開口部の上方において、電装部品への浸水を効果的に抑止することができる。
【００２６】
第１１の発明にかかる室外機は、第１０の発明にかかる室外機において、上方溝部は、側板の幅方向に沿って形成されている。
【００２７】
この室外機では、開口部の上辺の全幅をカバーすることが可能となるので、開口部の上方からの浸水を抑止することが可能となる。
【発明の効果】
【００２８】
以上の説明に述べたように、本発明によれば、以下の効果が得られる。
【００２９】
第１の発明では、
（１）開口部の上方の位置において天板の縁部と開口カバーの上端部とが係合するので、開口部付近に開口カバーの取付箇所を設ける場合に比べて、当該係合部分と開口部との間の距離を確保することができる。これにより、ケーシングの外部から内部の電装部品までの浸水経路長を長くすることができるので、当該係合部分を介して浸水する水の勢いを低下させて、電装部品への浸水を抑止することができる。
（２）さらに、外側壁部と内側壁部との間に設けられる凹部内に天板の縁部を挿入することで、天板の縁部と開口カバーの上端部との間に蛇行した隙間が形成される。このように構成されたトラップ構造により、電装部品への浸水を効果的に抑止することができる。
（３）また、側板の開口部の上側部分を、開口カバーの上端部と天板の縁部との係合部分の内側に配置することによって、内側壁部の内側に配置される側板の上側部分が電装部品への浸水を防ぐ防水壁として機能するので、電装部品への浸水をさらに抑止することができる。
【００３０】
また、第２の発明では、ケーシングの外部から浸入した水が、天板の縁部と開口カバーの上端部との係合部分を通過した場合でも、内側壁部の上方に配置される庇部によって、側板の内側に浸水するのを抑止することができる。つまり、庇部を追加することで、電装部品への浸水をさらに抑止することができる。
【００３１】
また、第３の発明では、側板の庇部と天板の縁部との間に形成される隙間が実質的に無くなり、側板の庇部と天板の縁部との間を介した電装部品への浸水を確実に抑止することができる。
【００３２】
また、第４の発明では、内側壁部と側板との間に形成される隙間が実質的に無くなり、開口カバーの内側壁部と側板の上側部分との間を介した電装部品への浸水を確実に抑止することができる。
【００３３】
また、第５の発明では、開口部の上辺の全幅をカバーすることが可能となるので、開口部の上方からの浸水を抑止することが可能となる。
【００３４】
また、第６の発明では、電装部品の周囲に設けられる開口部の手前で、ケーシングの外部から侵入した水を、この溝部によって所定の排水箇所に案内することができる。
【００３５】
また、第７の発明では、側板の側方溝部内に開口カバーの側端部を挿入することで、側板の側方溝部と開口カバーの側端部との間に蛇行した隙間が形成される。このように構成されたトラップ構造により、開口部の側方において、電装部品への浸水を効果的に抑止することができる。
【００３６】
また、第８の発明では、開口部の側辺の全幅をカバーすることが可能となるので、開口部の側方からの浸水を抑止することが可能となる。
【００３７】
また、第９の発明では、開口部の両側方において、電装部品への浸水を効果的に抑止することができる。
【００３８】
また、第１０の発明では、側板の上方溝部内に開口カバーの上端部を挿入することで、側板の上方溝部と開口カバーの上端部との間に蛇行した隙間が形成される。このように構成されたトラップ構造により、開口部の上方において、電装部品への浸水を効果的に抑止することができる。
【００３９】
また、第１１の発明では、開口部の上辺の全幅をカバーすることが可能となるので、開口部の上方からの浸水を抑止することが可能となる。
【図面の簡単な説明】
【００４０】
【図１】本発明の一実施形態に係る空気調和機の冷媒配管図である。
【図２】図１に示した空気調和機の室外機の全体構成を示した斜視図である。
【図３】図１に示した空気調和機の室外機の右側板を示した正面図である。
【図４】図１に示した空気調和機の室外機を右側板側から見た拡大斜視図である。
【図５】図４のＭ−Ｍ線に沿った断面図である。
【図６】図４のＮ−Ｎ線に沿った断面図である。
【図７】図１に示した空気調和機の室外機の天板、右側板及び閉鎖弁カバーによって構成されるトラップ構造を示した断面拡大模式図である。
【図８】図１に示した空気調和機の室外機の閉鎖弁カバーを示した正面図である。
【図９】図８のＪ−Ｊ線に沿った断面図である。
【図１０】図１に示した空気調和機の室外機の電装品ボックス及び端子台取付板の分解斜視図である。
【図１１】図１０に示した電装品ボックスに設けられる爪部近傍の拡大斜視図である。
【図１２】図１０に示した電装品ボックスの爪部の撓ませ方法を示した模式図である。
【図１３】図１０に示した電装品ボックスの爪部による配線の固定方法を示した模式図である。
【図１４】変形例に係る電装品ボックスの爪部の撓ませ方法を示した模式図である。
【発明を実施するための形態】
【００４１】
以下、図面に基づいて、本発明に係る室外機を備える空気調和機の実施形態について説明する。
【００４２】
［空気調和機の全体構成］
本実施形態の空気調和機１は、図１に示すように、室内の壁面等に設置される室内機２と、室外に設置される室外機３と、室内機２と室外機３とを接続する接続配管４とを備えている。そして、室内機２内及び室外機３内に収納された機器・弁類と、接続配管４とが接続されて冷媒回路を構成している。冷媒回路は、主として、室内熱交換器２０、室外熱交換器３０、圧縮機３１および電動膨張弁３２により構成される。冷房運転時には、圧縮機３１から吐出された高温高圧冷媒が室外熱交換器３０に流入する。そして、室外熱交換器（凝縮器）３０で凝縮した冷媒は、電動膨張弁３２で減圧された後、室内熱交換器２０に流入する。そして、室内熱交換器（蒸発器）２０で蒸発した冷媒が、圧縮機３１の吸入側に戻る。このようにして、室内熱交換器２０の周囲の空気が冷却されて、冷風が室内に供給される。また、暖房運転時には、圧縮機３１から吐出された高温高圧冷媒が室内熱交換器２０に流入する。そして、室内熱交換器（凝縮器）２０で凝縮した冷媒は、電動膨張弁３２で減圧された後、室外熱交換器３０に流入する。そして、室外熱交換器（蒸発器）３０で蒸発した冷媒が、圧縮機３１の吸入側に戻る。このようにして、室内熱交換器２０の周囲の空気が加熱されて、温風が室内に供給される。なお、本実施形態では、本発明の「室外機」を空気調和機に適用したが、本発明の「室外機」は、給湯器にも適用可能である。この場合、給湯器は、ヒートポンプユニットとしての室外機と、タンクユニットとを備える。
【００４３】
［室内機］
室内機２は、上記した室内熱交換器２０と、室内熱交換器２０に付設される室内ファン（クロスフローファン）２１とを備えている。
【００４４】
［室外機］
室外機３は、上記した室外熱交換器３０と、吸入した冷媒を圧縮する圧縮機３１と、室外熱交換器３０に接続された電動膨張弁３２と、室外熱交換器３０に付設される室外ファン（プロペラファン）３３と、圧縮機３１の吸入側に接続されるアキュームレータ３４と、圧縮機３１の吐出側に接続される四路切換弁３５とを備えている。また、室外機３には、接続配管４が接続される液閉鎖弁３６及びガス閉鎖弁３７が設けられている。
【００４５】
［ケーシング］
上記した各機器（圧縮機３１，電動膨張弁３２，室外ファン３３，アキュームレータ３４，四路切換弁３５）は、図２に示すように、略箱状のケーシング４０内に収容されている。このケーシング４０は、圧縮機３１などが載置される底板４１と、底板４１の縁部から立設される側板４２と、底板４１に対向配置される天板４３とを含んでいる。側板４２は、ケーシング４０の右側面を構成する右側板４４と、ケーシング４０の左側面を構成する左側板（図示せず）と、ケーシング４０の前面を構成する前板４５とを含んでいる。天板４３は、ケーシング４０の天面を構成する矩形状の天面部４３ａと、天面部４３ａの各々の端部に直交接続された縁部４３ｂとを有している。
【００４６】
［右側板］
図３及び図６に示すように、右側板４４は、水平断面が略Ｌ字状であって、ケーシング４０の右側面に配置される本体部４４ａと、本体部４４ａの側端部から屈曲し且つケーシング４０の裏面に配置される裏面部４４ｂとを有している。図３に示すように、右側板４４の高さ方向（Ｚ方向）中央より上側には、ケーシング４０の内部に配置される端子台６０に接続される配線（図示せず）をケーシング４０の内部から外部へ引き回すための配線用開口部４６ａが設けられている。この配線用開口部４６ａは、端子台６０の近傍位置で開口している。具体的には、配線用開口部４６ａから露出する位置に端子台６０が配置されており、右側板４４の高さ方向（Ｚ方向）及び幅方向（Ｘ方向）に関して、配線用開口部４６ａの開口範囲内に端子台６０が設けられている。また、右側板４４の高さ方向（Ｚ方向）中央より下側には、上記した液閉鎖弁３６及びガス閉鎖弁３７を露出させるための閉鎖弁用開口部４６ｂが設けられている。
【００４７】
そして、本実施形態では、配線用開口部４６ａの上側部分４７は、図５及び図７に示すように、閉鎖弁カバー５０の上端部５３と天板４３の縁部４３ｂとの係合部分Ｋの内側、つまり、後述する内側壁部５３ｂの内側に配置されている。なお、上側部分４７は、内側壁部５３ｂの上方位置まで延在している。
【００４８】
図３に示すように、右側板４４の外側面であって配線用開口部４６ａの周囲の少なくとも一部には、溝部４８が形成されている。この溝部４８は、配線用開口部４６ａの上辺に沿って形成される水平溝４８Ｈと、配線用開口部４６ａの左辺及び右辺に沿って形成される垂直溝４８Ｌ及び４８Ｒとを含んでいる。水平溝４８Ｈと、垂直溝４８Ｌ及び４８Ｒとは、互いの端部が接続されており、全体として略コの字の溝部を形成している。右側板４４の幅方向（Ｘ方向）に関して、水平溝４８Ｈの幅Ｗ１は、配線用開口部４６ａの幅Ｗ２より長く設定されていると共に、右側板４４の高さ方向（Ｚ方向）に関して、垂直溝４８Ｌ及び４８Ｒの幅Ｗ３は、いずれも配線用開口部４６ａの幅Ｗ４より長く設定されている。ここで、本実施形態では、図５及び図７に示すように、右側板４４の水平溝４８Ｈの上側部分には、外側に突出する庇部４９が設けられている。この庇部４９は、後述する閉鎖弁カバー５０の内側壁部５３ｂの上方に配置されており、天板４３の縁部４３ｂと閉鎖弁カバー５０の上端部５３との間の隙間を通過した水が、右側板４４を乗り越えて進入するのを防止する機能を有している。本実施形態では、天板４３の天面部４３ａと内側壁部５３ｂとの間に空間を設けておき、当該空間に庇部４９を配置している。
【００４９】
［閉鎖弁カバー］
図４に示すように、右側板４４の外側には、樹脂製の閉鎖弁カバー（開口カバー）５０が取り付けられている。この閉鎖弁カバー５０は、右側板４４に形成される配線用開口部４６ａ（図３参照）、その配線用開口部４６ａから引き出される配線（図示せず）、及び、右側板４４の閉鎖弁用開口部４６ｂ（図３参照）から露出する液閉鎖弁３６及びガス閉鎖弁３７を覆うために設けられている。図４、図８及び図９に示すように、閉鎖弁カバー５０には、作業者が製品を移動する際に把持する把持部５１と、外側に膨出し且つ液閉鎖弁３６及びガス閉鎖弁３７を覆う膨出部５２とが設けられている。本実施形態の閉鎖弁カバー５０は、その上端部５３が天板４３の縁部４３ｂに係合している（図５及び図７参照）。この閉鎖弁カバー５０の上端部５３は、図５、図７及び図９に示すように、天板４３の縁部４３ｂの外側に配置される外側壁部５３ａと、天板４３の縁部４３ｂの内側に配置される内側壁部５３ｂと、外側壁部５３ａと内側壁部５３ｂとの間に設けられる凹部５３ｃとを含んでいる。そして、天板４３の縁部４３ｂが、上端部５３の凹部５３ｃ内に挿入されることで、天板４３の縁部４３ｂと閉鎖弁カバー５０の上端部５３とが係合する。上記した外側壁部５３ａ、内側壁部５３ｂ及び凹部５３ｃは、いずれも閉鎖弁カバー５０の幅方向（Ｘ方向）に沿って延在している。
【００５０】
また、図６に示すように、閉鎖弁カバー５０の側端部５４Ｌ及び５４Ｒは、右側板４４側に突出しており、上記した右側板４４の垂直溝４８Ｌ及び４８Ｒ内に配置されている。この側端部５４Ｌ及び５４Ｒには、それぞれ凹部５５Ｌ及び５５Ｒが形成されている。当該側端部５４Ｌ及び５４Ｒは、右側板４４の垂直溝４８Ｌ及び４８Ｒ内を上下方向（Ｚ方向）にスライド可能であって、この垂直溝４８Ｌ及び４８Ｒ内を下方から上方にスライドさせることによって、閉鎖弁カバー５０の上端部５３に形成される凹部５３ｃ内に天板４３の縁部４３ｂが挿入される。また、側端部５４Ｌ及び５４Ｒの右側板４４の幅方向（Ｘ方向）の中央部分から垂直溝４８Ｌ及び４８Ｒに至る角部４８ａ及び４８ｂに対向する部分には、それぞれ切欠部５６Ｌ及び５６Ｒが形成されている。
【００５１】
図５、図７及び図９に示すように、外側壁部５３ａの先端部分であって内側壁部５３ｂに対向する部分５３ｄ、及び、内側壁部５３ｂの先端部分であって外側壁部５３ａに対向する部分５３ｅは、テーパ状に形成されており、天板４３の縁部４３ｂを凹部５３ｃに挿入しやすくなっている。また、本実施形態では、内側壁部５３ｂの高さＨ２は、外側壁部５３ａの高さＨ１より高くなっている（図９参照）。
【００５２】
次に、端子台６０などの電装部品への浸水を防止するトラップ構造について詳細に説明する。
【００５３】
［閉鎖弁カバー５０と天板４３との間に形成されるトラップ構造Ｐ］
図７に示すように、閉鎖弁カバー５０の上端部５３と天板４３の縁部４３ｂとの間には、閉鎖弁カバー５０の上端部５３からの水の浸入を防止するトラップ構造Ｐが形成されている。このトラップ構造Ｐは、閉鎖弁カバー５０の上端部５３に形成される凹部５３ｃ内に天板４３の縁部４３ｂが挿入されることによって構成されている。トラップ構造Ｐは、外側壁部５３ａと天板４３の縁部４３ｂとの間に形成される垂直隙間Ａ、凹部５３ｃ内の底面と天板４３の縁部４３ｂの下端面との間に形成される水平隙間Ｂ、及び、内側壁部５３ｂと天板４３の縁部４３ｂとの間に形成される垂直隙間Ｃを含んでいる。この垂直隙間Ａ、水平隙間Ｂ及び垂直隙間Ｃは、全体として略コの字状の蛇行した隙間を形成している。図７では、各隙間Ａ，Ｂ，Ｃの間隔を誇張して描写しているが、実際には、天板４３の縁部４３ｂと閉鎖弁カバー５０の上端部５３とは実質的に接触している。
【００５４】
［閉鎖弁カバー５０と右側板４４との間に形成されるトラップ構造Ｑ］
図７に示すように、閉鎖弁カバー５０の上端部５３の内側壁部５３ｂと右側板４４との間には、上記したトラップ構造Ｐの隙間を通過した水の浸入を防止するトラップ構造Ｑが形成されている。このトラップ構造Ｑは、右側板４４の水平溝４８Ｈ内に内側壁部５３ｂが配置されることによって構成されている。このトラップ構造Ｑは、内側壁部５３ｂの上端面と右側板４４の庇部４９との間に形成される水平隙間Ｄ、及び、水平溝４８Ｈと内側壁部５３ｂとの間に形成される垂直隙間Ｅを含んでいる。この水平隙間Ｄ及び垂直隙間Ｅは、全体として略Ｌの字状の隙間を形成している。図７では、各隙間Ｄ，Ｅの間隔を誇張して描写しているが、実際には、右側板４４と閉鎖弁カバー５０の内側壁部５３ｂとは実質的に接触している。
【００５５】
そして、上記した、垂直隙間Ａ、水平隙間Ｂ、垂直隙間Ｃ、水平隙間Ｄ及び垂直隙間Ｅは、全体として略Ｓ字状の蛇行した隙間を形成している。
【００５６】
［天板４３と右側板４４との間に形成されるトラップ構造Ｒ］
図７に示すように、天板４３と右側板４４の庇部４９との間には、上記したトラップ構造Ｐの隙間を通過した水の浸入を防止するトラップ構造Ｒが形成されている。このトラップ構造Ｒは、庇部４９が内側壁部５３ｂの上方に配置されると共に、庇部４９が天板４３の内壁面に沿って配置されることによって形成されている。このトラップ構造Ｒは、天板４３の縁部４３ｂと庇部４９の先端面との間に形成される垂直隙間Ｆ、及び、天板４３の天面部４３ａと庇部４９の上端面との間に形成される水平隙間Ｇを含んでいる。この垂直隙間Ｆ及び水平隙間Ｇは、全体として略Ｌ字状の隙間を形成している。図７では、各隙間Ｆ，Ｇの間隔を誇張して描写しているが、実際には、天板４３の縁部４３ｂ庇部４９との間には微小な隙間しか形成されていない。なお、天板４３の縁部４３ｂと庇部４９とを接触させてもよい。この場合、天板４３の縁部４３ｂと庇部４９との間に形成される隙間Ｆ及びＧが実質的に無くなり、右側板４４の庇部４９と天板４３の縁部４３ｂとの間を介した端子台６０などの電装部品への浸水を確実に抑止することができる。
【００５７】
［閉鎖弁カバー５０と右側板４４との間に形成されるトラップ構造Ｓ］
図６に示すように、上記したトラップ構造Ｐ，Ｑ，Ｒは、閉鎖弁カバー５０の上端部５３周辺からの浸水を防止するために設けられているが、トラップ構造Ｓは、閉鎖弁カバー５０の側端部５４Ｌ及び５４Ｒの周辺からの浸水を防止するために設けられている。図６に示すように、このトラップ構造Ｓは、右側板４４の垂直溝４８Ｌ及び４８Ｒ内に、閉鎖弁カバー５０の側端部５４Ｌ及び５４Ｒがそれぞれ配置されることによって構成されている。
【００５８】
［電装品ボックス］
次に、図１０〜図１３を参照して、ケーシング４０の内部に配置される電装品ボックス７０について詳細に説明する。この電装品ボックス７０には、各種の電子部品が実装された制御基板６２が取り付けられる。この制御基板６２は、圧縮機３１、電動膨張弁３２、室外ファン３３などの各機器の動作を制御している。
【００５９】
電装品ボックス７０は、樹脂製であって、一体成形によって構成されている。図１０に示すように、電装品ボックス７０の内部には、制御基板６２を収容する基板収容部７０ａが設けられている。基板収容部７０ａは、天面部７１と、底面部７２と、右側面部７３と、左側面部７４とによって囲まれた領域であって、制御基板６２は、電装品ボックス７０内で立設した状態で配置される。この基板収容部７０ａには、基板収容部７０ａの深さ方向（Ｘ方向）に関して、制御基板６２を所定の位置で支持する複数の支持リブ７５が各所に設けられている。また、基板収容部７０ａには、制御基板６２の切欠部６２ａに係合する爪部７６が設けられている。この爪部７６は、撓み変形可能であって、当該爪部７６が切欠部６２ａに係合することによって制御基板６２が固定される。上記した爪部７６や基板収容部７０ａの各所に設けられる突起部７７（図１０参照）に対応する部分には、金型を抜くための金型用穴７８が形成されている。
【００６０】
また、本実施形態の電装品ボックス７０の右側面部７３の外側面には、端子台取付板６１を設置するための取付板設置部７０ｂが設けられている。この取付板設置部７０ｂには、図１１に示すように、電装品ボックス７０の内部側及び外部側（Ｙ方向）に撓み変形可能な爪部８０Ａ及び８０Ｂが設けられている。この爪部８０Ａ及び８０Ｂの各々は、右側面部７３をコの字状に型抜くことによって形成されている。爪部８０Ａは、Ｘ方向の一方側を支点としてＸ方向の他方側が撓むように構成されており、且つ、爪部８０Ｂは、Ｘ方向の他方側を支点としてＸ方向の一方側が撓むように構成されている。このように構成すれば、爪部８０Ａに挟まれた配線６５（図１２参照）の抜け方向と、爪部８０Ｂに挟まれた配線６５の抜け方向とが互いに反対方向となるので、爪部８０Ａ及び８０Ｂに挟まれた配線６５の固定が外れるを防止することができる。これにより、配線６５の処理が容易になる。
【００６１】
そして、本実施形態では、図１１に示すように、爪部８０Ａの外側面（端子台取付板６１に対向する面）には、突起部８１Ａが形成されていると共に、爪部８０Ｂの外側面（端子台取付板６１に対向する面）には、突起部８１Ｂが形成されている。この突起部８１Ａ及び８１Ｂは、Ｚ方向に延在するように形成されている。図１２に示すように、爪部８０Ａは、その突起部８１が取付板設置部７０ｂに設置される端子台取付板６１に押圧されて、電装品ボックス７０の内側に撓む。この際、爪部８０Ａが電装品ボックス７０の内側に撓むことによって、当該電装品ボックス７０内に引き回される配線６５を挟持する構造となる。なお、図１２では、爪部８０Ａについて記載したが、爪部８０Ｂについても同様であるのでその説明を省略する。これにより、電装品ボックス７０内の配線６５を爪部８０Ａ及び８０Ｂで固定することが可能となる。この図１２では、配線６５を突起部８１Ａの手前で固定したが、図１３に示すように、配線６５を突起部８１Ａを乗り越えた位置で固定してもよい。この場合、突起部８１Ａが、配線６５の抜け防止手段として機能するので、より強固に配線６５を固定することが可能となる。
【００６２】
［本実施形態の室外機の特徴］
本実施形態の室外機には、以下のような特徴がある。
【００６３】
本実施形態の室外機３では、配線用開口部４６ａの上方の位置において天板４３の縁部４３ｂと閉鎖弁カバー５０の上端部５３とが係合するので、配線用開口部４６ａ付近に閉鎖弁カバー５０の取付箇所を設ける場合に比べて、当該係合部分Ｋと配線用開口部４６ａとの間の距離を確保することができる。これにより、ケーシング４０の外部から内部の端子台６０などの電装部品までの浸水経路長を長くすることができるので、当該係合部分Ｋを介して浸水する水の勢いを低下させて、端子台６０などの電装部品への浸水を抑止することができる。
【００６４】
本実施形態の室外機３では、外側壁部５３ａと内側壁部５３ｂとの間に設けられる凹部５３ｃ内に天板４３の縁部４３ｂを挿入することで、天板４３の縁部４３ｂと閉鎖弁カバー５０の上端部５３との間に蛇行した隙間（垂直隙間Ａ、水平隙間Ｂ、垂直隙間Ｃ）が形成される。このように構成されたトラップ構造Ｐにより、端子台６０などの電装部品への浸水を効果的に抑止することができる。
【００６５】
本実施形態の室外機３では、右側板４４の配線用開口部４６ａの上側部分４７を、内側壁部５３ｂの内側に配置することによって、当該上側部分４７が端子台６０などの電装部品への浸水を防ぐ防水壁として機能するので、端子台６０などの電装部品への浸水をさらに抑止することができる。
【００６６】
本実施形態の室外機３では、右側板４４に庇部４９を設けることによって、ケーシング４０の外部から浸入した水が、天板４３の縁部４３ｂと閉鎖弁カバー５０の上端部５３との係合部分Ｋ（トラップ構造Ｐ）を通過した場合でも、内側壁部５３ｂの上方に配置される庇部４９によって、水が右側板４４を乗り越えてその右側板４４の内側に浸水するのを抑止することができる。
【００６７】
本実施形態の室外機３では、右側板４４の配線用開口部４６ａの上側部分４７と内側壁部５３ｂとを接触させることによって、内側壁部５３ｂと右側板４４との間に形成される隙間が実質的に無くなり、閉鎖弁カバー５０の内側壁部５３ｂと右側板４４の上側部分４７との間を介した端子台６０などの電装部品への浸水を確実に抑止することができる。
【００６８】
本実施形態の室外機３では、凹部５３ｃを閉鎖弁カバー５０の幅方向（Ｘ方向）に沿って形成することによって、配線用開口部４６ａの上辺の全幅をカバーすることが可能となるので、配線用開口部４６ａの上方からの浸水を抑止することが可能となる。
【００６９】
本実施形態の室外機３では、右側板４４の外側面であって配線用開口部４６ａの周囲の少なくとも一部に、溝部４８を形成することによって、端子台６０などの電装部品の近傍位置に配置される配線用開口部４６ａの手前で、ケーシング４０の外部から侵入した水を当該溝部４８によって所定の排水箇所に案内することができる。
【００７０】
本実施形態の室外機３では、右側板４４の垂直溝４８Ｌ及び４８Ｒ内に閉鎖弁カバー５０の側端部５４Ｌ及び５４Ｒを挿入することで、右側板４４の垂直溝４８Ｌ及び４８Ｒと閉鎖弁カバー５０の側端部５４Ｌ及び５４Ｒとの間に蛇行した隙間が形成される。このように構成されたトラップ構造Ｓにより、配線用開口部４６ａの側方において、端子台６０などの電装部品への浸水を効果的に抑止することができる。
そして、垂直溝４８Ｌ及び４８Ｒを右側板４４の高さ方向（Ｚ方向）に沿って形成することによって、配線用開口部４６ａの側辺の全幅をカバーすることが可能となるので、配線用開口部４６ａの側方からの浸水をさらに抑止することが可能となる。
【００７１】
本実施形態の室外機３では、垂直溝４８Ｌ及び４８Ｒを配線用開口部４６ａの両側に設けることによって、配線用開口部４６ａの両側方において、端子台６０などの電装部品への浸水を効果的に抑止することができる。
【００７２】
本実施形態の室外機３では、右側板４４の水平溝４８Ｈ内に閉鎖弁カバー５０の上端部５３を挿入することで、右側板４４の水平溝４８Ｈと閉鎖弁カバー５０の上端部５３との間に蛇行した隙間（水平隙間Ｄ及び垂直隙間Ｅ）が形成される。このように構成されたトラップ構造Ｑにより、配線用開口部４６ａの上方において、端子台６０などの電装部品への浸水を効果的に抑止することができる。
そして、その水平溝４８Ｈを右側板４４の幅方向（Ｘ方向）に沿って形成することによって、配線用開口部４６ａの上辺の全幅をカバーすることが可能となるので、配線用開口部４６ａの上方からの浸水をさらに抑止することが可能となる。
【００７３】
また、本実施形態の室外機３では、電装品ボックス７０の外側に他部材（端子台取付板６１）を取り付ける際の押圧力により爪部８０Ａ及び８０Ｂを撓ませる構造を採用している。このように構成すれば、（１）端子台取付板６１や端子台６０などの現行の部品を外側からの押し付け部品として利用することで、部品点数を増加することなく、本構造の実現が可能となる。（２）また、電装品ボックス７０の内部に突起部（突起部７７など）を設ける場合には、金型を抜くための金型用穴７８が必要になると共に、その穴７８を塞ぐためのシール材が必要になるが、この電装品ボックス７０では、爪部８０Ａ及び８０Ｂの外側面に突起部８１Ａ及び８１Ｂを形成しているので、金型用穴７８やシール材などが不要になる。
【００７４】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００７５】
例えば、上記実施形態では、電装品ボックス７０の爪部８０Ａ及び８０Ｂに突起部８１Ａ及び８１Ｂを形成して、当該突起部８１Ａ及び８１Ｂを端子台取付板６１で押圧することによって、爪部８０Ａ及び８０Ｂを電装品ボックス７０の内側に撓ませたが、本発明はこれに限らず、図１４に示した変形例に係る電装品ボックス１７０及び端子台取付板１６１のように構成してもよい。具体的には、変形例に係る電装品ボックス１７０には、突起部が設けられていない爪部１８０が設けられており、且つ、端子台取付板１６１の当該爪部１８０に対向する部分には、ビスなどの突起部１６２が設けられている。このように構成すれば、爪部１８０は、端子台取付板１６１に設けられる突起部１６２に押圧されて、電装品ボックス７０の内側に撓む。これにより、電装品ボックス７０内の配線６５を爪部１８０で固定することが可能となる。つまり、前述した爪部８０Ａ及び８０Ｂを撓ませるために設けられる突起部８１Ａ及び８１Ｂは、爪部８０Ａ、８０Ｂ側に形成されていてもよいし、端子台取付板６１側に形成されていてもよい。また、上記した突起部１６２としてのビスが他部品の固定のためのビスである場合、当該爪部８０Ａ及び８０Ｂによってビスの先端部のエッジをカバーすることが可能となる。
【産業上の利用可能性】
【００７６】
本発明を利用すれば、ケーシングの外部から内部の電装部品への水の浸入を抑制することが可能な室外機を得ることができる。
【符号の説明】
【００７７】
１  空気調和機
３  室外機
４０  ケーシング
４１  底板
４３  天板
４３ｂ  縁部
４４  右側板
４６ａ  配線用開口部（開口部）
４８  溝部
４８Ｈ  水平溝（上方溝部）
４８Ｌ，４８Ｒ  垂直溝（側方溝部）
４９  庇部
５０  閉鎖弁カバー（開口カバー）
５３  上端部
５４Ｌ及び５４Ｒ  側端部
６０  端子台（電装部品）
５３ａ  外側壁部
５３ｂ  内側壁部
５３ｃ  凹部
【図１】
2011021776.tif 000003
【図２】
2011021776.tif 000004
【図３】
2011021776.tif 000005
【図４】
2011021776.tif 000006
【図５】
2011021776.tif 000007
【図６】
2011021776.tif 000008
【図７】
2011021776.tif 000009
【図８】
2011021776.tif 000010
【図９】
2011021776.tif 000011
【図１０】
2011021776.tif 000012
【図１１】
2011021776.tif 000013
【図１２】
2011021776.tif 000014
【図１３】
2011021776.tif 000015
【図１４】
2011021776.tif 000016
【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
底板と側板と天板とを有するケーシングと、
前記ケーシング内に収容される電装部品と、
前記側板に形成され、前記電装部品の近傍位置で開口する開口部と、
前記側板の外側に配置され、前記開口部を覆う開口カバーとを備え、
前記天板は、
前記底板に対向配置される天面部と、
前記天面部の端部から下方に延びる縁部とを有し、
前記開口カバーの上端部には、
前記天板の前記縁部の外側に配置される外側壁部と、
前記天板の前記縁部の内側に配置される内側壁部と、
前記外側壁部と前記内側壁部との間に設けられる凹部とが形成されており、
前記開口部の上方の位置において、前記天板の前記縁部が前記開口カバーの上端部に形成される前記凹部に挿入され、且つ、前記側板の前記開口部より上側部分が、前記内側壁部の内側に配置されることを特徴とする、室外機。
【請求項２】
前記側板の前記開口部より上側部分は、前記天板の前記天面部と前記内側壁部の上端との間に配置される庇部を含むことを特徴とする、請求項１に記載の室外機。
【請求項３】
前記庇部の突出先端面は、前記天板の前記縁部に近接または接触していることを特徴とする、請求項２に記載の室外機。
【請求項４】
前記庇部の上端面は、前記天板の前記天面部に近接または接触していることを特徴とする、請求項２または３に記載の室外機。
【請求項５】
前記庇部の下端面は、前記内側壁部の上端に近接または接触していることを特徴とする、請求項２〜４のいずれか１項に記載の室外機。
【請求項６】
前記側板の前記開口部より上側部分は、前記内側壁部に近接または接触していることを特徴とする、請求項１〜５のいずれか１項に記載の室外機。
【請求項７】
前記凹部は、前記開口カバーの幅方向に沿って形成されていることを特徴とする、請求項１〜６のいずれか１項に記載の室外機。
【請求項８】
前記側板の外側面であって前記開口部の周囲の少なくとも一部に、溝部が形成されることを特徴とする、請求項１〜７のいずれか１項に記載の室外機。
【請求項９】
前記溝部は、前記開口部の側方に配置され且つ前記開口カバーの側端部が挿入される側方溝部を含むことを特徴とする、請求項８に記載の室外機。
【請求項１０】
前記側方溝部は、前記側板の高さ方向に沿って形成されていることを特徴とする、請求項９に記載の室外機。
【請求項１１】
前記側方溝部は、前記開口部の両側に設けられていることを特徴とする、請求項９又は１０に記載の室外機。
【請求項１２】
前記溝部は、前記開口部の上方に配置され且つ前記開口カバーの上端部が挿入される上方溝部を含むことを特徴とする、請求項８〜１１のいずれか１項に記載の室外機。
【請求項１３】
前記上方溝部は、前記側板の幅方向に沿って形成されていることを特徴とする、請求項１２に記載の室外機。
【手続補正２】
【補正対象書類名】明細書
【補正対象項目名】全文
【補正方法】変更
【補正の内容】
【発明の詳細な説明】
【技術分野】
【０００１】
本発明は、室外機に関し、特に、ケーシングの外側に配置される開口カバーを備えた室外機に関する。
【背景技術】
【０００２】
ケーシングの側面には、ケーシングの内部に収容される電装部品に接続される配線をケーシングの内部から外部に引き回すための開口部が設けられている。そして、当該開口部を介してケーシングの外部から内部に雨水等が侵入しないように、ケーシングの側板の外側に開口部を覆う開口カバー（閉鎖弁カバー）が取り付けられている（例えば、特許文献１参照）。
【先行技術文献】
【特許文献】
【０００３】
【特許文献１】特開２００２−６１８８５号公報
【発明の概要】
【発明が解決しようとする課題】
【０００４】
しかしながら、この特許文献１に記載される空気調和機の室外機では、閉鎖弁カバーの上端部が開口部の上縁部分に係合しているので、当該係合部分と電装部品（通常、開口部の近傍に電装部品が配置される）との距離が近くなる。そのため、室外機が水道水で洗浄される場合や台風などの水圧では、閉鎖弁カバーと側板との係合部分における隙間からケーシングの内部の電装部品に水が浸入してしまうおそれがあった。
【０００５】
そこで、この発明は、上記のような課題を解決するためになされたものであり、ケーシングの外部から内部の電装部品への水の浸入を抑制することが可能な室外機を提供することを目的とする。
【課題を解決するための手段】
【０００６】
第１の発明にかかる室外機は、底板と側板と天板とを有するケーシングと、ケーシング内に収容される電装部品と、側板に形成され、電装部品の近傍位置で開口する開口部と、側板の外側に配置され、開口部を覆う開口カバーとを備え、天板は、底板に対向配置される天面部と、天面部の端部から下方に延びる縁部とを有し、開口カバーの上端部には、天板の縁部の外側に配置される外側壁部と、天板の縁部の内側に配置される内側壁部と、外側壁部と内側壁部との間に設けられる凹部とが形成されており、開口部の上方の位置において、天板の縁部が開口カバーの上端部に形成される凹部に挿入され、且つ、側板の開口部より上側部分が、内側壁部の内側に配置される。
【０００７】
この室外機では、
（１）開口部の上方の位置において天板の縁部と開口カバーの上端部とが係合するので、開口部付近に開口カバーの取付箇所を設ける場合（例えば、特許文献１のように、閉鎖弁カバーの上端部が開口部の上縁部分に嵌合する場合）に比べて、当該係合部分と開口部との間の距離を確保することができる。これにより、ケーシングの外部から内部の電装部品までの浸水経路長を長くすることができるので、当該係合部分を介して浸水する水の勢いを低下させて、電装部品への浸水を抑止することができる。
（２）さらに、外側壁部と内側壁部との間に設けられる凹部内に天板の縁部を挿入することで、天板の縁部と開口カバーの上端部との間に蛇行した隙間が形成される。このように構成されたトラップ構造により、電装部品への浸水を効果的に抑止することができる。
（３）また、側板の開口部より上側部分を、内側壁部の内側に配置することによって、当該側板の上側部分が電装部品への浸水を防ぐ防水壁として機能するので、電装部品への浸水をさらに抑止することができる。
【０００８】
第２の発明にかかる室外機は、第１の発明にかかる室外機において、側板の前記開口部より上側部分は、前記天板の前記天面部と前記内側壁部の上端との間に配置される庇部を含む。
【０００９】
この室外機では、ケーシングの外部から浸入した水が、天板の縁部と開口カバーの上端部との係合部分を通過した場合でも、内側壁部の上方に配置される庇部によって、側板の上方を乗り越えて側板の内側に浸水するのを抑止することができる。つまり、庇部を追加することで、電装部品への浸水をさらに抑止することができる。
【００１０】
第３の発明にかかる室外機は、第２の発明にかかる室外機において、庇部の突出先端面は、天板の縁部に近接または接触している。
【００１１】
この室外機では、側板の庇部と天板の縁部との間に形成される隙間が実質的に無くなり、側板の庇部と天板の縁部との間を介した電装部品への浸水を確実に抑止することができる。
【００１２】
第４の発明にかかる室外機は、第２または第３の発明にかかる室外機において、庇部の上端面は、天板の天面部に近接または接触している。
この室外機では、側板の庇部と天板の天面部との間に形成される隙間が実質的に無くなり、側板の庇部と天板の天面部との間を介した電装部品への浸水を確実に抑止することができる。
第５の発明にかかる室外機は、第２〜第４のいずれかの発明にかかる室外機において、庇部の下端面は、内側壁部の上端に近接または接触している。
この室外機では、側板の庇部と開口カバーの内側壁部の上端との間に形成される隙間が実質的に無くなり、側板の庇部と内側壁部の上端との間を介した電装部品への浸水を確実に抑止することができる。
【００１３】
第６の発明にかかる室外機は、第１〜第５のいずれかの発明にかかる室外機において、側板の開口部より上側部分は、内側壁部に近接または接触している。
この室外機では、内側壁部と側板との間に形成される隙間が実質的に無くなり、開口カバーの内側壁部と側板の上側部分との間を介した電装部品への浸水を確実に抑止することができる。
【００１４】
第７の発明にかかる室外機は、第１〜第６のいずれかの発明にかかる室外機において、凹部は、開口カバーの幅方向に沿って形成されている。
【００１５】
この室外機では、開口部の上辺の全幅をカバーすることが可能となるので、開口部の上方からの浸水を抑止することが可能となる。
【００１６】
第８の発明にかかる室外機は、第１〜第７のいずれかの発明にかかる室外機において、側板の外側面であって開口部の周囲の少なくとも一部に、溝部が形成される。
【００１７】
この室外機では、電装部品の周囲に配置される開口部の手前で、ケーシングの外部から侵入した水を、この溝部によって所定の排水箇所に案内することができる。
【００１８】
第９の発明にかかる室外機は、第８の発明にかかる室外機において、溝部は、開口部の側方に配置され且つ開口カバーの側端部が挿入される側方溝部を含む。
【００１９】
この室外機では、側板の側方溝部内に開口カバーの側端部を挿入することで、側板の側方溝部と開口カバーの側端部との間に蛇行した隙間が形成される。このように構成されたトラップ構造により、開口部の側方において、電装部品への浸水を効果的に抑止することができる。
【００２０】
第１０の発明にかかる室外機は、第９の発明にかかる室外機において、側方溝部は、側板の高さ方向に沿って形成されている。
【００２１】
この室外機では、開口部の側辺の全幅をカバーすることが可能となるので、開口部の側方からの浸水を抑止することが可能となる。
【００２２】
第１１の発明にかかる室外機は、第９又は第１０の発明にかかる室外機において、側方溝部は、開口部の両側に設けられている。
【００２３】
この室外機では、開口部の両側方において、電装部品への浸水を効果的に抑止することができる。
【００２４】
第１２の発明にかかる室外機は、第８〜第１１のいずれかの発明にかかる室外機において、溝部は、開口部の上方に配置され且つ開口カバーの上端部が挿入される上方溝部を含む。
【００２５】
この室外機では、側板の上方溝部内に開口カバーの上端部を挿入することで、側板の上方溝部と開口カバーの上端部との間に蛇行した隙間が形成される。このように構成されたトラップ構造により、開口部の上方において、電装部品への浸水を効果的に抑止することができる。
【００２６】
第１３の発明にかかる室外機は、第１２の発明にかかる室外機において、上方溝部は、側板の幅方向に沿って形成されている。
【００２７】
この室外機では、開口部の上辺の全幅をカバーすることが可能となるので、開口部の上方からの浸水を抑止することが可能となる。
【発明の効果】
【００２８】
以上の説明に述べたように、本発明によれば、以下の効果が得られる。
【００２９】
第１の発明では、
（１）開口部の上方の位置において天板の縁部と開口カバーの上端部とが係合するので、開口部付近に開口カバーの取付箇所を設ける場合に比べて、当該係合部分と開口部との間の距離を確保することができる。これにより、ケーシングの外部から内部の電装部品までの浸水経路長を長くすることができるので、当該係合部分を介して浸水する水の勢いを低下させて、電装部品への浸水を抑止することができる。
（２）さらに、外側壁部と内側壁部との間に設けられる凹部内に天板の縁部を挿入することで、天板の縁部と開口カバーの上端部との間に蛇行した隙間が形成される。このように構成されたトラップ構造により、電装部品への浸水を効果的に抑止することができる。
（３）また、側板の開口部より上側部分を、開口カバーの上端部と天板の縁部との係合部分の内側に配置することによって、内側壁部の内側に配置される側板の上側部分が電装部品への浸水を防ぐ防水壁として機能するので、電装部品への浸水をさらに抑止することができる。
【００３０】
また、第２の発明では、ケーシングの外部から浸入した水が、天板の縁部と開口カバーの上端部との係合部分を通過した場合でも、内側壁部の上方に配置される庇部によって、側板の内側に浸水するのを抑止することができる。つまり、庇部を追加することで、電装部品への浸水をさらに抑止することができる。
【００３１】
また、第３の発明では、側板の庇部と天板の縁部との間に形成される隙間が実質的に無くなり、側板の庇部と天板の縁部との間を介した電装部品への浸水を確実に抑止することができる。
また、第４の発明では、側板の庇部と天板の天面部との間に形成される隙間が実質的に無くなり、側板の庇部と天板の天面部との間を介した電装部品への浸水を確実に抑止することができる。
また、第５の発明では、側板の庇部と開口カバーの内側壁部の上端との間に形成される隙間が実質的に無くなり、側板の庇部と内側壁部の上端との間を介した電装部品への浸水を確実に抑止することができる。
【００３２】
また、第６の発明では、内側壁部と側板との間に形成される隙間が実質的に無くなり、開口カバーの内側壁部と側板の上側部分との間を介した電装部品への浸水を確実に抑止することができる。
【００３３】
また、第７の発明では、開口部の上辺の全幅をカバーすることが可能となるので、開口部の上方からの浸水を抑止することが可能となる。
【００３４】
また、第８の発明では、電装部品の周囲に設けられる開口部の手前で、ケーシングの外部から侵入した水を、この溝部によって所定の排水箇所に案内することができる。
【００３５】
また、第９の発明では、側板の側方溝部内に開口カバーの側端部を挿入することで、側板の側方溝部と開口カバーの側端部との間に蛇行した隙間が形成される。このように構成されたトラップ構造により、開口部の側方において、電装部品への浸水を効果的に抑止することができる。
【００３６】
また、第１０の発明では、開口部の側辺の全幅をカバーすることが可能となるので、開口部の側方からの浸水を抑止することが可能となる。
【００３７】
また、第１１の発明では、開口部の両側方において、電装部品への浸水を効果的に抑止することができる。
【００３８】
また、第１２の発明では、側板の上方溝部内に開口カバーの上端部を挿入することで、側板の上方溝部と開口カバーの上端部との間に蛇行した隙間が形成される。このように構成されたトラップ構造により、開口部の上方において、電装部品への浸水を効果的に抑止することができる。
【００３９】
また、第１３の発明では、開口部の上辺の全幅をカバーすることが可能となるので、開口部の上方からの浸水を抑止することが可能となる。
【図面の簡単な説明】
【００４０】
【図１】本発明の一実施形態に係る空気調和機の冷媒配管図である。
【図２】図１に示した空気調和機の室外機の全体構成を示した斜視図である。
【図３】図１に示した空気調和機の室外機の右側板を示した正面図である。
【図４】図１に示した空気調和機の室外機を右側板側から見た拡大斜視図である。
【図５】図４のＭ−Ｍ線に沿った断面図である。
【図６】図４のＮ−Ｎ線に沿った断面図である。
【図７】図１に示した空気調和機の室外機の天板、右側板及び閉鎖弁カバーによって構成されるトラップ構造を示した断面拡大模式図である。
【図８】図１に示した空気調和機の室外機の閉鎖弁カバーを示した正面図である。
【図９】図８のＪ−Ｊ線に沿った断面図である。
【図１０】図１に示した空気調和機の室外機の電装品ボックス及び端子台取付板の分解斜視図である。
【図１１】図１０に示した電装品ボックスに設けられる爪部近傍の拡大斜視図である。
【図１２】図１０に示した電装品ボックスの爪部の撓ませ方法を示した模式図である。
【図１３】図１０に示した電装品ボックスの爪部による配線の固定方法を示した模式図である。
【図１４】変形例に係る電装品ボックスの爪部の撓ませ方法を示した模式図である。
【発明を実施するための形態】
【００４１】
以下、図面に基づいて、本発明に係る室外機を備える空気調和機の実施形態について説明する。
【００４２】
［空気調和機の全体構成］
本実施形態の空気調和機１は、図１に示すように、室内の壁面等に設置される室内機２と、室外に設置される室外機３と、室内機２と室外機３とを接続する接続配管４とを備えている。そして、室内機２内及び室外機３内に収納された機器・弁類と、接続配管４とが接続されて冷媒回路を構成している。冷媒回路は、主として、室内熱交換器２０、室外熱交換器３０、圧縮機３１および電動膨張弁３２により構成される。冷房運転時には、圧縮機３１から吐出された高温高圧冷媒が室外熱交換器３０に流入する。そして、室外熱交換器（凝縮器）３０で凝縮した冷媒は、電動膨張弁３２で減圧された後、室内熱交換器２０に流入する。そして、室内熱交換器（蒸発器）２０で蒸発した冷媒が、圧縮機３１の吸入側に戻る。このようにして、室内熱交換器２０の周囲の空気が冷却されて、冷風が室内に供給される。また、暖房運転時には、圧縮機３１から吐出された高温高圧冷媒が室内熱交換器２０に流入する。そして、室内熱交換器（凝縮器）２０で凝縮した冷媒は、電動膨張弁３２で減圧された後、室外熱交換器３０に流入する。そして、室外熱交換器（蒸発器）３０で蒸発した冷媒が、圧縮機３１の吸入側に戻る。このようにして、室内熱交換器２０の周囲の空気が加熱されて、温風が室内に供給される。なお、本実施形態では、本発明の「室外機」を空気調和機に適用したが、本発明の「室外機」は、給湯器にも適用可能である。この場合、給湯器は、ヒートポンプユニットとしての室外機と、タンクユニットとを備える。
【００４３】
［室内機］
室内機２は、上記した室内熱交換器２０と、室内熱交換器２０に付設される室内ファン（クロスフローファン）２１とを備えている。
【００４４】
［室外機］
室外機３は、上記した室外熱交換器３０と、吸入した冷媒を圧縮する圧縮機３１と、室外熱交換器３０に接続された電動膨張弁３２と、室外熱交換器３０に付設される室外ファン（プロペラファン）３３と、圧縮機３１の吸入側に接続されるアキュームレータ３４と、圧縮機３１の吐出側に接続される四路切換弁３５とを備えている。また、室外機３には、接続配管４が接続される液閉鎖弁３６及びガス閉鎖弁３７が設けられている。
【００４５】
［ケーシング］
上記した各機器（圧縮機３１，電動膨張弁３２，室外ファン３３，アキュームレータ３４，四路切換弁３５）は、図２に示すように、略箱状のケーシング４０内に収容されている。このケーシング４０は、圧縮機３１などが載置される底板４１と、底板４１の縁部から立設される側板４２と、底板４１に対向配置される天板４３とを含んでいる。側板４２は、ケーシング４０の右側面を構成する右側板４４と、ケーシング４０の左側面を構成する左側板（図示せず）と、ケーシング４０の前面を構成する前板４５とを含んでいる。天板４３は、ケーシング４０の天面を構成する矩形状の天面部４３ａと、天面部４３ａの各端部に直交接続された縁部４３ｂとを有している。
【００４６】
［右側板］
図３及び図６に示すように、右側板４４は、水平断面が略Ｌ字状であって、ケーシング４０の右側面に配置される本体部４４ａと、本体部４４ａの側端部から屈曲し且つケーシング４０の裏面に配置される裏面部４４ｂとを有している。図３に示すように、右側板４４の高さ方向（Ｚ方向）中央より上側には、ケーシング４０の内部に配置される端子台６０に接続される配線（図示せず）をケーシング４０の内部から外部へ引き出すための配線用開口部４６ａが設けられている。この配線用開口部４６ａは、端子台６０の近傍位置で開口している。具体的には、配線用開口部４６ａから露出する位置に端子台６０が配置されており、右側板４４の高さ方向（Ｚ方向）及び幅方向（Ｘ方向）に関して、配線用開口部４６ａの開口範囲内に端子台６０が設けられている。また、右側板４４の高さ方向（Ｚ方向）中央より下側には、上記した液閉鎖弁３６及びガス閉鎖弁３７を露出させるための閉鎖弁用開口部４６ｂが設けられている。
【００４７】
そして、本実施形態では、配線用開口部４６ａより上側部分４７は、図５及び図７に示すように、閉鎖弁カバー５０の上端部５３と天板４３の縁部４３ｂとの係合部分Ｋの内側、つまり、後述する内側壁部５３ｂの内側に配置されている。なお、上側部分４７は、内側壁部５３ｂの上方位置まで延在している。
【００４８】
図３に示すように、右側板４４の外側面であって配線用開口部４６ａの周囲の少なくとも一部には、溝部４８が形成されている。この溝部４８は、配線用開口部４６ａの上辺に沿って形成される水平溝４８Ｈと、配線用開口部４６ａの左辺及び右辺に沿って形成される垂直溝４８Ｌ及び４８Ｒとを含んでいる。水平溝４８Ｈと、垂直溝４８Ｌ及び４８Ｒとは、互いの端部が接続されており、全体として略コの字の溝部を形成している。右側板４４の幅方向（Ｘ方向）に関して、水平溝４８Ｈの幅Ｗ１は、配線用開口部４６ａの幅Ｗ２より長く設定されていると共に、右側板４４の高さ方向（Ｚ方向）に関して、垂直溝４８Ｌ及び４８Ｒの幅Ｗ３は、いずれも配線用開口部４６ａの幅Ｗ４より長く設定されている。ここで、本実施形態では、図５及び図７に示すように、右側板４４の水平溝４８Ｈの上側部分には、外側に突出する庇部４９が設けられている。この庇部４９は、後述する閉鎖弁カバー５０の内側壁部５３ｂの上方に配置されており、天板４３の縁部４３ｂと閉鎖弁カバー５０の上端部５３との間の隙間を通過した水が、右側板４４を乗り越えて浸入するのを防止する機能を有している。本実施形態では、天板４３の天面部４３ａと内側壁部５３ｂとの間に空間を設けておき、当該空間に庇部４９を配置している。
【００４９】
［閉鎖弁カバー］
図４に示すように、右側板４４の外側には、樹脂製の閉鎖弁カバー（開口カバー）５０が取り付けられている。この閉鎖弁カバー５０は、右側板４４に形成される配線用開口部４６ａ（図３参照）、その配線用開口部４６ａから引き出される配線（図示せず）、及び、右側板４４の閉鎖弁用開口部４６ｂ（図３参照）から露出する液閉鎖弁３６及びガス閉鎖弁３７を覆うために設けられている。図４、図８及び図９に示すように、閉鎖弁カバー５０には、作業者が製品を移動する際に把持する把持部５１と、外側に膨出し且つ液閉鎖弁３６及びガス閉鎖弁３７を覆う膨出部５２とが設けられている。本実施形態の閉鎖弁カバー５０は、その上端部５３が天板４３の縁部４３ｂに係合している（図５及び図７参照）。この閉鎖弁カバー５０の上端部５３は、図５、図７及び図９に示すように、天板４３の縁部４３ｂの外側に配置される外側壁部５３ａと、天板４３の縁部４３ｂの内側に配置される内側壁部５３ｂと、外側壁部５３ａと内側壁部５３ｂとの間に設けられる凹部５３ｃとを含んでいる。そして、天板４３の縁部４３ｂが、上端部５３の凹部５３ｃ内に挿入されることで、天板４３の縁部４３ｂと閉鎖弁カバー５０の上端部５３とが係合する。上記した外側壁部５３ａ、内側壁部５３ｂ及び凹部５３ｃは、いずれも閉鎖弁カバー５０の幅方向（Ｘ方向）に沿って延在している。
【００５０】
また、図６に示すように、閉鎖弁カバー５０の側端部５４Ｌ及び５４Ｒは、右側板４４側に突出しており、上記した右側板４４の垂直溝４８Ｌ及び４８Ｒ内に配置されている。この側端部５４Ｌ及び５４Ｒには、それぞれ凹部５５Ｌ及び５５Ｒが形成されている。当該側端部５４Ｌ及び５４Ｒは、右側板４４の垂直溝４８Ｌ及び４８Ｒ内を上下方向（Ｚ方向）にスライド可能であって、この垂直溝４８Ｌ及び４８Ｒ内を下方から上方にスライドさせることによって、閉鎖弁カバー５０の上端部５３に形成される凹部５３ｃ内に天板４３の縁部４３ｂが挿入される。また、側端部５４Ｌ及び５４Ｒの右側板４４の幅方向（Ｘ方向）の中央部分から垂直溝４８Ｌ及び４８Ｒに至る角部４８ａ及び４８ｂに対向する部分には、それぞれ切欠部５６Ｌ及び５６Ｒが形成されている。
【００５１】
図５、図７及び図９に示すように、外側壁部５３ａの先端部分であって内側壁部５３ｂに対向する部分５３ｄ、及び、内側壁部５３ｂの先端部分であって外側壁部５３ａに対向する部分５３ｅは、テーパ状に形成されており、天板４３の縁部４３ｂを凹部５３ｃに挿入しやすくなっている。また、本実施形態では、内側壁部５３ｂの高さＨ２は、外側壁部５３ａの高さＨ１より低くなっている（図９参照）。
【００５２】
次に、端子台６０などの電装部品への浸水を防止するトラップ構造について詳細に説明する。
【００５３】
［閉鎖弁カバー５０と天板４３との間に形成されるトラップ構造Ｐ］
図７に示すように、閉鎖弁カバー５０の上端部５３と天板４３の縁部４３ｂとの間には、閉鎖弁カバー５０の上端部５３からの水の浸入を防止するトラップ構造Ｐが形成されている。このトラップ構造Ｐは、閉鎖弁カバー５０の上端部５３に形成される凹部５３ｃ内に天板４３の縁部４３ｂが挿入されることによって構成されている。トラップ構造Ｐは、外側壁部５３ａと天板４３の縁部４３ｂとの間に形成される垂直隙間Ａ、凹部５３ｃ内の底面と天板４３の縁部４３ｂの下端面との間に形成される水平隙間Ｂ、及び、内側壁部５３ｂと天板４３の縁部４３ｂとの間に形成される垂直隙間Ｃを含んでいる。この垂直隙間Ａ、水平隙間Ｂ及び垂直隙間Ｃは、全体として略コの字状の蛇行した隙間を形成している。図７では、各隙間Ａ，Ｂ，Ｃの間隔を誇張して描写しているが、実際には、天板４３の縁部４３ｂと閉鎖弁カバー５０の上端部５３とは実質的に接触している。
【００５４】
［閉鎖弁カバー５０と右側板４４との間に形成されるトラップ構造Ｑ］
図７に示すように、閉鎖弁カバー５０の上端部５３の内側壁部５３ｂと右側板４４との間には、上記したトラップ構造Ｐの隙間を通過した水の浸入を防止するトラップ構造Ｑが形成されている。このトラップ構造Ｑは、右側板４４の水平溝４８Ｈ内に内側壁部５３ｂが配置されることによって構成されている。このトラップ構造Ｑは、内側壁部５３ｂの上端面と右側板４４の庇部４９との間に形成される水平隙間Ｄ、及び、水平溝４８Ｈと内側壁部５３ｂとの間に形成される垂直隙間Ｅを含んでいる。この水平隙間Ｄ及び垂直隙間Ｅは、全体として略Ｌの字状の隙間を形成している。図７では、各隙間Ｄ，Ｅの間隔を誇張して描写しているが、実際には、右側板４４と閉鎖弁カバー５０の内側壁部５３ｂとは実質的に接触している。
【００５５】
そして、上記した、垂直隙間Ａ、水平隙間Ｂ、垂直隙間Ｃ、水平隙間Ｄ及び垂直隙間Ｅは、全体として略Ｓ字状の蛇行した隙間を形成している。
【００５６】
［天板４３と右側板４４との間に形成されるトラップ構造Ｒ］
図７に示すように、天板４３と右側板４４の庇部４９との間には、上記したトラップ構造Ｐの隙間を通過した水の浸入を防止するトラップ構造Ｒが形成されている。このトラップ構造Ｒは、庇部４９が内側壁部５３ｂの上方に配置されると共に、庇部４９が天板４３の内壁面に沿って配置されることによって形成されている。このトラップ構造Ｒは、天板４３の縁部４３ｂと庇部４９の先端面との間に形成される垂直隙間Ｆ、及び、天板４３の天面部４３ａと庇部４９の上端面との間に形成される水平隙間Ｇを含んでいる。この垂直隙間Ｆ及び水平隙間Ｇは、全体として略Ｌ字状の隙間を形成している。図７では、各隙間Ｆ，Ｇの間隔を誇張して描写しているが、実際には、天板４３の縁部４３ｂと庇部４９との間には微小な隙間しか形成されていない。なお、天板４３の縁部４３ｂと庇部４９とを接触させてもよい。この場合、天板４３の縁部４３ｂと庇部４９との間に形成される隙間Ｆ及びＧが実質的に無くなり、右側板４４の庇部４９と天板４３の縁部４３ｂとの間を介した端子台６０などの電装部品への浸水を確実に抑止することができる。
【００５７】
［閉鎖弁カバー５０と右側板４４との間に形成されるトラップ構造Ｓ］
図６に示すように、上記したトラップ構造Ｐ，Ｑ，Ｒは、閉鎖弁カバー５０の上端部５３周辺からの浸水を防止するために設けられているが、トラップ構造Ｓは、閉鎖弁カバー５０の側端部５４Ｌ及び５４Ｒの周辺からの浸水を防止するために設けられている。図６に示すように、このトラップ構造Ｓは、右側板４４の垂直溝４８Ｌ及び４８Ｒ内に、閉鎖弁カバー５０の側端部５４Ｌ及び５４Ｒがそれぞれ配置されることによって構成されている。
【００５８】
［電装品ボックス］
次に、図１０〜図１３を参照して、ケーシング４０の内部に配置される電装品ボックス７０について詳細に説明する。この電装品ボックス７０には、各種の電子部品が実装された制御基板６２が取り付けられる。この制御基板６２は、圧縮機３１、電動膨張弁３２、室外ファン３３などの各機器の動作を制御している。
【００５９】
電装品ボックス７０は、樹脂製であって、一体成形によって構成されている。図１０に示すように、電装品ボックス７０の内部には、制御基板６２を収容する基板収容部７０ａが設けられている。基板収容部７０ａは、天面部７１と、底面部７２と、右側面部７３と、左側面部７４とによって囲まれた領域であって、制御基板６２は、電装品ボックス７０内で立設した状態で配置される。この基板収容部７０ａには、基板収容部７０ａの深さ方向（Ｘ方向）に関して、制御基板６２を所定の位置で支持する複数の支持リブ７５が各所に設けられている。また、基板収容部７０ａには、制御基板６２の切欠部（図示省略）に係合する爪部７６が設けられている。この爪部７６は、撓み変形可能であって、当該爪部７６が切欠部（図示省略）に係合することによって制御基板６２が固定される。上記した爪部７６や基板収容部７０ａの各所に設けられる突起部７７（図１０参照）に対応する部分には、金型を抜くための金型用穴７８が形成されている。
【００６０】
また、本実施形態の電装品ボックス７０の右側面部７３の外側面には、端子台取付板６１を設置するための取付板設置部７０ｂが設けられている。この取付板設置部７０ｂには、図１１に示すように、電装品ボックス７０の内部側及び外部側（Ｙ方向）に撓み変形可能な爪部８０Ａ及び８０Ｂが設けられている。この爪部８０Ａ及び８０Ｂの各々は、右側面部７３をコの字状に型抜くことによって形成されている。爪部８０Ａは、Ｘ方向の一方側を支点としてＸ方向の他方側が撓むように構成されており、且つ、爪部８０Ｂは、Ｘ方向の他方側を支点としてＸ方向の一方側が撓むように構成されている。このように構成すれば、爪部８０Ａに挟まれた配線６５（図１２参照）の抜け方向と、爪部８０Ｂに挟まれた配線６５の抜け方向とが互いに反対方向となるので、爪部８０Ａ及び８０Ｂに挟まれた配線６５の固定が外れるを防止することができる。これにより、配線６５の処理が容易になる。
【００６１】
そして、本実施形態では、図１１に示すように、爪部８０Ａの外側面（端子台取付板６１に対向する面）には、突起部８１Ａが形成されていると共に、爪部８０Ｂの外側面（端子台取付板６１に対向する面）には、突起部８１Ｂが形成されている。この突起部８１Ａ及び８１Ｂは、Ｚ方向に延在するように形成されている。図１２に示すように、爪部８０Ａは、その突起部８１Aが取付板設置部７０ｂに設置される端子台取付板６１に押圧されて、電装品ボックス７０の内側に撓む。この際、爪部８０Ａが電装品ボックス７０の内側に撓むことによって、当該電装品ボックス７０内に引き回される配線６５を挟持する構造となる。なお、図１２では、爪部８０Ａについて記載したが、爪部８０Ｂについても同様であるのでその説明を省略する。これにより、電装品ボックス７０内の配線６５を爪部８０Ａ及び８０Ｂで固定することが可能となる。この図１２では、配線６５を突起部８１Ａの手前で固定したが、図１３に示すように、配線６５を突起部８１Ａを乗り越えた位置で固定してもよい。この場合、突起部８１Ａが、配線６５の抜け防止手段として機能するので、より強固に配線６５を固定することが可能となる。
【００６２】
［本実施形態の室外機の特徴］
本実施形態の室外機には、以下のような特徴がある。
【００６３】
本実施形態の室外機３では、配線用開口部４６ａの上方の位置において天板４３の縁部４３ｂと閉鎖弁カバー５０の上端部５３とが係合するので、配線用開口部４６ａ付近に閉鎖弁カバー５０の取付箇所を設ける場合に比べて、当該係合部分Ｋと配線用開口部４６ａとの間の距離を確保することができる。これにより、ケーシング４０の外部から内部の端子台６０などの電装部品までの浸水経路長を長くすることができるので、当該係合部分Ｋを介して浸水する水の勢いを低下させて、端子台６０などの電装部品への浸水を抑止することができる。
【００６４】
本実施形態の室外機３では、外側壁部５３ａと内側壁部５３ｂとの間に設けられる凹部５３ｃ内に天板４３の縁部４３ｂを挿入することで、天板４３の縁部４３ｂと閉鎖弁カバー５０の上端部５３との間に蛇行した隙間（垂直隙間Ａ、水平隙間Ｂ、垂直隙間Ｃ）が形成される。このように構成されたトラップ構造Ｐにより、端子台６０などの電装部品への浸水を効果的に抑止することができる。
【００６５】
本実施形態の室外機３では、右側板４４の配線用開口部４６ａより上側部分４７を、内側壁部５３ｂの内側に配置することによって、当該上側部分４７が端子台６０などの電装部品への浸水を防ぐ防水壁として機能するので、端子台６０などの電装部品への浸水をさらに抑止することができる。
【００６６】
本実施形態の室外機３では、右側板４４に庇部４９を設けることによって、ケーシング４０の外部から浸入した水が、天板４３の縁部４３ｂと閉鎖弁カバー５０の上端部５３との係合部分Ｋ（トラップ構造Ｐ）を通過した場合でも、内側壁部５３ｂの上方に配置される庇部４９によって、水が右側板４４を乗り越えてその右側板４４の内側に浸水するのを抑止することができる。
【００６７】
本実施形態の室外機３では、右側板４４の配線用開口部４６ａより上側部分４７と内側壁部５３ｂとを接触させることによって、内側壁部５３ｂと右側板４４との間に形成される隙間が実質的に無くなり、閉鎖弁カバー５０の内側壁部５３ｂと右側板４４の上側部分４７との間を介した端子台６０などの電装部品への浸水を確実に抑止することができる。
【００６８】
本実施形態の室外機３では、凹部５３ｃを閉鎖弁カバー５０の幅方向（Ｘ方向）に沿って形成することによって、配線用開口部４６ａの上辺の全幅をカバーすることが可能となるので、配線用開口部４６ａの上方からの浸水を抑止することが可能となる。
【００６９】
本実施形態の室外機３では、右側板４４の外側面であって配線用開口部４６ａの周囲の少なくとも一部に、溝部４８を形成することによって、端子台６０などの電装部品の近傍位置に配置される配線用開口部４６ａの手前で、ケーシング４０の外部から侵入した水を当該溝部４８によって所定の排水箇所に案内することができる。
【００７０】
本実施形態の室外機３では、右側板４４の垂直溝４８Ｌ及び４８Ｒ内に閉鎖弁カバー５０の側端部５４Ｌ及び５４Ｒを挿入することで、右側板４４の垂直溝４８Ｌ及び４８Ｒと閉鎖弁カバー５０の側端部５４Ｌ及び５４Ｒとの間に蛇行した隙間が形成される。このように構成されたトラップ構造Ｓにより、配線用開口部４６ａの側方において、端子台６０などの電装部品への浸水を効果的に抑止することができる。
そして、垂直溝４８Ｌ及び４８Ｒを右側板４４の高さ方向（Ｚ方向）に沿って形成することによって、配線用開口部４６ａの側辺の全幅をカバーすることが可能となるので、配線用開口部４６ａの側方からの浸水をさらに抑止することが可能となる。
【００７１】
本実施形態の室外機３では、垂直溝４８Ｌ及び４８Ｒを配線用開口部４６ａの両側に設けることによって、配線用開口部４６ａの両側方において、端子台６０などの電装部品への浸水を効果的に抑止することができる。
【００７２】
本実施形態の室外機３では、右側板４４の水平溝４８Ｈ内に閉鎖弁カバー５０の上端部５３を挿入することで、右側板４４の水平溝４８Ｈと閉鎖弁カバー５０の上端部５３との間に蛇行した隙間（水平隙間Ｄ及び垂直隙間Ｅ）が形成される。このように構成されたトラップ構造Ｑにより、配線用開口部４６ａの上方において、端子台６０などの電装部品への浸水を効果的に抑止することができる。
そして、その水平溝４８Ｈを右側板４４の幅方向（Ｘ方向）に沿って形成することによって、配線用開口部４６ａの上辺の全幅をカバーすることが可能となるので、配線用開口部４６ａの上方からの浸水をさらに抑止することが可能となる。
【００７３】
また、本実施形態の室外機３では、電装品ボックス７０の外側に他部材（端子台取付板６１）を取り付ける際の押圧力により爪部８０Ａ及び８０Ｂを撓ませる構造を採用している。このように構成すれば、（１）端子台取付板６１や端子台６０などの現行の部品を外側からの押し付け部品として利用することで、部品点数を増加することなく、本構造の実現が可能となる。（２）また、突起部７７のように電装品ボックス７０の内側に突出する突起部を設ける場合には、金型を抜くための金型用穴７８が必要になると共に、その穴７８を塞ぐためのシール材が必要になるが、突起部８１Ａ及び８１Ｂは、爪部８０Ａ及び８０Ｂの外側面に形成しているので、金型用穴７８やシール材などが不要になる。
【００７４】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００７５】
例えば、上記実施形態では、電装品ボックス７０の爪部８０Ａ及び８０Ｂに突起部８１Ａ及び８１Ｂを形成して、当該突起部８１Ａ及び８１Ｂを端子台取付板６１で押圧することによって、爪部８０Ａ及び８０Ｂを電装品ボックス７０の内側に撓ませたが、本発明はこれに限らず、図１４に示した変形例に係る電装品ボックス１７０及び端子台取付板１６１のように構成してもよい。具体的には、変形例に係る電装品ボックス１７０には、突起部が設けられていない爪部１８０が設けられており、且つ、端子台取付板１６１の当該爪部１８０に対向する部分には、ビスなどの突起部１６２が設けられている。このように構成すれば、爪部１８０は、端子台取付板１６１に設けられる突起部１６２に押圧されて、電装品ボックス７０の内側に撓む。これにより、電装品ボックス７０内の配線６５を爪部１８０で固定することが可能となる。つまり、前述した爪部８０Ａ及び８０Ｂを撓ませるために設けられる突起部８１Ａ及び８１Ｂは、爪部８０Ａ、８０Ｂ側に形成されていてもよいし、端子台取付板６１側に形成されていてもよい。また、上記した突起部１６２としてのビスが他部品の固定のためのビスである場合、当該爪部８０Ａ及び８０Ｂによってビスの先端部のエッジをカバーすることが可能となる。
【産業上の利用可能性】
【００７６】
本発明を利用すれば、ケーシングの外部から内部の電装部品への水の浸入を抑制することが可能な室外機を得ることができる。
【符号の説明】
【００７７】
１  空気調和機
３  室外機
４０  ケーシング
４１  底板
４３  天板
４３ａ  天面部
４３ｂ  縁部
４４  右側板
４６ａ  配線用開口部（開口部）
４７  上側部分
４８  溝部
４８Ｈ  水平溝（上方溝部）
４８Ｌ，４８Ｒ  垂直溝（側方溝部）
４９  庇部
５０  閉鎖弁カバー（開口カバー）
５３  上端部
５４Ｌ，５４Ｒ  側端部
６０  端子台（電装部品）
５３ａ  外側壁部
５３ｂ  内側壁部
５３ｃ  凹部 
【手続補正３】
【補正対象書類名】図面
【補正対象項目名】図３
【補正方法】変更
【補正の内容】
【図３】
2011021776.tif 000017
【手続補正４】
【補正対象書類名】図面
【補正対象項目名】図５
【補正方法】変更
【補正の内容】
【図５】
2011021776.tif 000018
【手続補正５】
【補正対象書類名】図面
【補正対象項目名】図９
【補正方法】変更
【補正の内容】
【図９】
2011021776.tif 000019
【手続補正６】
【補正対象書類名】図面
【補正対象項目名】図１２
【補正方法】変更
【補正の内容】
【図１２】
2011021776.tif 000020
【手続補正７】
【補正対象書類名】図面
【補正対象項目名】図１３
【補正方法】変更
【補正の内容】
【図１３】
2011021776.tif 000021
【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
底板と側板と天板とを有するケーシングと、
前記ケーシング内に収容される電装部品と、
前記側板に形成され、前記電装部品の近傍位置で開口する開口部と、
前記側板の外側に配置され、前記開口部を覆う開口カバーとを備え、
前記天板は、
前記底板に対向配置される天面部と、
前記天面部の端部から下方に延びる縁部とを有し、
前記開口カバーの上端部には、
前記天板の前記縁部の外側に配置される外側壁部と、
前記天板の前記縁部の内側に配置される内側壁部と、
前記外側壁部と前記内側壁部との間に設けられる凹部とが形成されており、
前記開口部の上方の位置において、前記天板の前記縁部が前記開口カバーの上端部に形
成される前記凹部に挿入され、且つ、前記側板の前記開口部より上側部分が、前記内側壁
部の内側に配置されることを特徴とする、室外機。
【請求項２】
前記側板の前記開口部より上側部分は、前記天板の前記天面部と前記内側壁部の上端と
の間に配置される庇部を含むことを特徴とする、請求項１に記載の室外機。
【請求項３】
前記庇部の突出先端面は、前記天板の前記縁部に近接または接触していることを特徴と
する、請求項２に記載の室外機。
【請求項４】
前記庇部の上端面は、前記天板の前記天面部に近接または接触していることを特徴とす
る、請求項２または３に記載の室外機。
【請求項５】
前記庇部の下端面は、前記内側壁部の上端に近接または接触していることを特徴とする
、請求項２〜４のいずれか１項に記載の室外機。
【請求項６】
前記側板の前記開口部より上側部分は、前記内側壁部に近接または接触していることを
特徴とする、請求項１〜５のいずれか１項に記載の室外機。
【請求項７】
前記凹部は、前記開口カバーの幅方向に沿って形成されていることを特徴とする、請求
項１〜６のいずれか１項に記載の室外機。
【請求項８】
前記側板の外側面であって前記開口部の周囲の少なくとも一部に、溝部が形成されるこ
とを特徴とする、請求項１〜７のいずれか１項に記載の室外機。
【請求項９】
前記溝部は、前記開口部の側方に配置され且つ前記開口カバーの側端部が挿入される側
方溝部を含むことを特徴とする、請求項８に記載の室外機。
【請求項１０】
前記側方溝部は、前記側板の高さ方向に沿って形成されていることを特徴とする、請求
項９に記載の室外機。
【請求項１１】
前記側方溝部は、前記開口部の両側に設けられていることを特徴とする、請求項９又は
１０に記載の室外機。
【請求項１２】
前記溝部は、前記開口部の上方に配置され且つ前記開口カバーの上端部が挿入される上
方溝部を含むことを特徴とする、請求項８〜１１のいずれか１項に記載の室外機。
【請求項１３】
前記上方溝部は、前記側板の幅方向に沿って形成されていることを特徴とする、請求項
１２に記載の室外機。
【手続補正２】
【補正対象書類名】明細書
【補正対象項目名】全文
【補正方法】変更
【補正の内容】
【発明の詳細な説明】
【技術分野】
【０００１】
本発明は、室外機に関し、特に、ケーシングの外側に配置される開口カバーを備えた室
外機に関する。
【背景技術】
【０００２】
ケーシングの側面には、ケーシングの内部に収容される電装部品に接続される配線をケ
ーシングの内部から外部に引き回すための開口部が設けられている。そして、当該開口部
を介してケーシングの外部から内部に雨水等が侵入しないように、ケーシングの側板の外
側に開口部を覆う開口カバー（閉鎖弁カバー）が取り付けられている（例えば、特許文献
１参照）。
【先行技術文献】
【特許文献】
【０００３】
【特許文献１】特開２００２−６１８８５号公報
【発明の概要】
【発明が解決しようとする課題】
【０００４】
しかしながら、この特許文献１に記載される空気調和機の室外機では、閉鎖弁カバーの
上端部が開口部の上縁部分に係合しているので、当該係合部分と電装部品（通常、開口部
の近傍に電装部品が配置される）との距離が近くなる。そのため、室外機が水道水で洗浄
される場合や台風などの水圧では、閉鎖弁カバーと側板との係合部分における隙間からケ
ーシングの内部の電装部品に水が浸入してしまうおそれがあった。
【０００５】
そこで、この発明は、上記のような課題を解決するためになされたものであり、ケーシ
ングの外部から内部の電装部品への水の浸入を抑制することが可能な室外機を提供するこ
とを目的とする。
【課題を解決するための手段】
【０００６】
第１の発明にかかる室外機は、底板と側板と天板とを有するケーシングと、ケーシング
内に収容される電装部品と、側板に形成され、電装部品の近傍位置で開口する開口部と、
側板の外側に配置され、開口部を覆う開口カバーとを備え、天板は、底板に対向配置され
る天面部と、天面部の端部から下方に延びる縁部とを有し、開口カバーの上端部には、天
板の縁部の外側に配置される外側壁部と、天板の縁部の内側に配置される内側壁部と、外
側壁部と内側壁部との間に設けられる凹部とが形成されており、開口部の上方の位置にお
いて、天板の縁部が開口カバーの上端部に形成される凹部に挿入され、且つ、側板の開口
部より上側部分が、内側壁部の内側に配置される。
【０００７】
この室外機では、
（１）開口部の上方の位置において天板の縁部と開口カバーの上端部とが係合するので
、開口部付近に開口カバーの取付箇所を設ける場合（例えば、特許文献１のように、閉鎖
弁カバーの上端部が開口部の上縁部分に嵌合する場合）に比べて、当該係合部分と開口部
との間の距離を確保することができる。これにより、ケーシングの外部から内部の電装部
品までの浸水経路長を長くすることができるので、当該係合部分を介して浸水する水の勢
いを低下させて、電装部品への浸水を抑止することができる。
（２）さらに、外側壁部と内側壁部との間に設けられる凹部内に天板の縁部を挿入する
ことで、天板の縁部と開口カバーの上端部との間に蛇行した隙間が形成される。このよう
に構成されたトラップ構造により、電装部品への浸水を効果的に抑止することができる。
（３）また、側板の開口部より上側部分を、内側壁部の内側に配置することによって、
当該側板の上側部分が電装部品への浸水を防ぐ防水壁として機能するので、電装部品への
浸水をさらに抑止することができる。
【０００８】
第２の発明にかかる室外機は、第１の発明にかかる室外機において、側板の前記開口部
より上側部分は、前記天板の前記天面部と前記内側壁部の上端との間に配置される庇部を
含む。
【０００９】
この室外機では、ケーシングの外部から浸入した水が、天板の縁部と開口カバーの上端
部との係合部分を通過した場合でも、内側壁部の上方に配置される庇部によって、側板の
上方を乗り越えて側板の内側に浸水するのを抑止することができる。つまり、庇部を追加
することで、電装部品への浸水をさらに抑止することができる。
【００１０】
第３の発明にかかる室外機は、第２の発明にかかる室外機において、庇部の突出先端面
は、天板の縁部に近接または接触している。
【００１１】
この室外機では、側板の庇部と天板の縁部との間に形成される隙間が実質的に無くなり
、側板の庇部と天板の縁部との間を介した電装部品への浸水を確実に抑止することができ
る。
【００１２】
第４の発明にかかる室外機は、第２または第３の発明にかかる室外機において、庇部の
上端面は、天板の天面部に近接または接触している。
この室外機では、側板の庇部と天板の天面部との間に形成される隙間が実質的に無くな
り、側板の庇部と天板の天面部との間を介した電装部品への浸水を確実に抑止することが
できる。
第５の発明にかかる室外機は、第２〜第４のいずれかの発明にかかる室外機において、
庇部の下端面は、内側壁部の上端に近接または接触している。
この室外機では、側板の庇部と開口カバーの内側壁部の上端との間に形成される隙間が
実質的に無くなり、側板の庇部と内側壁部の上端との間を介した電装部品への浸水を確実
に抑止することができる。
【００１３】
第６の発明にかかる室外機は、第１〜第５のいずれかの発明にかかる室外機において、
側板の開口部より上側部分は、内側壁部に近接または接触している。
この室外機では、内側壁部と側板との間に形成される隙間が実質的に無くなり、開口カ
バーの内側壁部と側板の上側部分との間を介した電装部品への浸水を確実に抑止すること
ができる。
【００１４】
第７の発明にかかる室外機は、第１〜第６のいずれかの発明にかかる室外機において、
凹部は、開口カバーの幅方向に沿って形成されている。
【００１５】
この室外機では、開口部の上辺の全幅をカバーすることが可能となるので、開口部の上
方からの浸水を抑止することが可能となる。
【００１６】
第８の発明にかかる室外機は、第１〜第７のいずれかの発明にかかる室外機において、
側板の外側面であって開口部の周囲の少なくとも一部に、溝部が形成される。
【００１７】
この室外機では、電装部品の周囲に配置される開口部の手前で、ケーシングの外部から
侵入した水を、この溝部によって所定の排水箇所に案内することができる。
【００１８】
第９の発明にかかる室外機は、第８の発明にかかる室外機において、溝部は、開口部の
側方に配置され且つ開口カバーの側端部が挿入される側方溝部を含む。
【００１９】
この室外機では、側板の側方溝部内に開口カバーの側端部を挿入することで、側板の側
方溝部と開口カバーの側端部との間に蛇行した隙間が形成される。このように構成された
トラップ構造により、開口部の側方において、電装部品への浸水を効果的に抑止すること
ができる。
【００２０】
第１０の発明にかかる室外機は、第９の発明にかかる室外機において、側方溝部は、側
板の高さ方向に沿って形成されている。
【００２１】
この室外機では、開口部の側辺の全幅をカバーすることが可能となるので、開口部の側
方からの浸水を抑止することが可能となる。
【００２２】
第１１の発明にかかる室外機は、第９又は第１０の発明にかかる室外機において、側方
溝部は、開口部の両側に設けられている。
【００２３】
この室外機では、開口部の両側方において、電装部品への浸水を効果的に抑止すること
ができる。
【００２４】
第１２の発明にかかる室外機は、第８〜第１１のいずれかの発明にかかる室外機におい
て、溝部は、開口部の上方に配置され且つ開口カバーの上端部が挿入される上方溝部を含
む。
【００２５】
この室外機では、側板の上方溝部内に開口カバーの上端部を挿入することで、側板の上
方溝部と開口カバーの上端部との間に蛇行した隙間が形成される。このように構成された
トラップ構造により、開口部の上方において、電装部品への浸水を効果的に抑止すること
ができる。
【００２６】
第１３の発明にかかる室外機は、第１２の発明にかかる室外機において、上方溝部は、
側板の幅方向に沿って形成されている。
【００２７】
この室外機では、開口部の上辺の全幅をカバーすることが可能となるので、開口部の上
方からの浸水を抑止することが可能となる。
【発明の効果】
【００２８】
以上の説明に述べたように、本発明によれば、以下の効果が得られる。
【００２９】
第１の発明では、
（１）開口部の上方の位置において天板の縁部と開口カバーの上端部とが係合するので、
開口部付近に開口カバーの取付箇所を設ける場合に比べて、当該係合部分と開口部との間
の距離を確保することができる。これにより、ケーシングの外部から内部の電装部品まで
の浸水経路長を長くすることができるので、当該係合部分を介して浸水する水の勢いを低
下させて、電装部品への浸水を抑止することができる。
（２）さらに、外側壁部と内側壁部との間に設けられる凹部内に天板の縁部を挿入する
ことで、天板の縁部と開口カバーの上端部との間に蛇行した隙間が形成される。このよう
に構成されたトラップ構造により、電装部品への浸水を効果的に抑止することができる。
（３）また、側板の開口部より上側部分を、開口カバーの上端部と天板の縁部との係合
部分の内側に配置することによって、内側壁部の内側に配置される側板の上側部分が電装
部品への浸水を防ぐ防水壁として機能するので、電装部品への浸水をさらに抑止すること
ができる。
【００３０】
また、第２の発明では、ケーシングの外部から浸入した水が、天板の縁部と開口カバー
の上端部との係合部分を通過した場合でも、内側壁部の上方に配置される庇部によって、
側板の内側に浸水するのを抑止することができる。つまり、庇部を追加することで、電装
部品への浸水をさらに抑止することができる。
【００３１】
また、第３の発明では、側板の庇部と天板の縁部との間に形成される隙間が実質的に無
くなり、側板の庇部と天板の縁部との間を介した電装部品への浸水を確実に抑止すること
ができる。
また、第４の発明では、側板の庇部と天板の天面部との間に形成される隙間が実質的に
無くなり、側板の庇部と天板の天面部との間を介した電装部品への浸水を確実に抑止する
ことができる。
また、第５の発明では、側板の庇部と開口カバーの内側壁部の上端との間に形成される
隙間が実質的に無くなり、側板の庇部と内側壁部の上端との間を介した電装部品への浸水
を確実に抑止することができる。
【００３２】
また、第６の発明では、内側壁部と側板との間に形成される隙間が実質的に無くなり、
開口カバーの内側壁部と側板の上側部分との間を介した電装部品への浸水を確実に抑止す
ることができる。
【００３３】
また、第７の発明では、開口部の上辺の全幅をカバーすることが可能となるので、開口
部の上方からの浸水を抑止することが可能となる。
【００３４】
また、第８の発明では、電装部品の周囲に設けられる開口部の手前で、ケーシングの外
部から侵入した水を、この溝部によって所定の排水箇所に案内することができる。
【００３５】
また、第９の発明では、側板の側方溝部内に開口カバーの側端部を挿入することで、側
板の側方溝部と開口カバーの側端部との間に蛇行した隙間が形成される。このように構成
されたトラップ構造により、開口部の側方において、電装部品への浸水を効果的に抑止す
ることができる。
【００３６】
また、第１０の発明では、開口部の側辺の全幅をカバーすることが可能となるので、開
口部の側方からの浸水を抑止することが可能となる。
【００３７】
また、第１１の発明では、開口部の両側方において、電装部品への浸水を効果的に抑止
することができる。
【００３８】
また、第１２の発明では、側板の上方溝部内に開口カバーの上端部を挿入することで、
側板の上方溝部と開口カバーの上端部との間に蛇行した隙間が形成される。このように構
成されたトラップ構造により、開口部の上方において、電装部品への浸水を効果的に抑止
することができる。
【００３９】
また、第１３の発明では、開口部の上辺の全幅をカバーすることが可能となるので、開
口部の上方からの浸水を抑止することが可能となる。
【図面の簡単な説明】
【００４０】
【図１】本発明の一実施形態に係る空気調和機の冷媒配管図である。
【図２】図１に示した空気調和機の室外機の全体構成を示した斜視図である。
【図３】図１に示した空気調和機の室外機の右側板を示した正面図である。
【図４】図１に示した空気調和機の室外機を右側板側から見た拡大斜視図である。
【図５】図４のＭ−Ｍ線に沿った断面図である。
【図６】図４のＮ−Ｎ線に沿った断面図である。
【図７】図１に示した空気調和機の室外機の天板、右側板及び閉鎖弁カバーによって構成されるトラップ構造を示した断面拡大模式図である。
【図８】図１に示した空気調和機の室外機の閉鎖弁カバーを示した正面図である。
【図９】図８のＪ−Ｊ線に沿った断面図である。
【図１０】図１に示した空気調和機の室外機の電装品ボックス及び端子台取付板の分解斜視図である。
【図１１】図１０に示した電装品ボックスに設けられる爪部近傍の拡大斜視図である。
【図１２】図１０に示した電装品ボックスの爪部の撓ませ方法を示した模式図である。
【図１３】図１０に示した電装品ボックスの爪部による配線の固定方法を示した模式図である。
【図１４】変形例に係る電装品ボックスの爪部の撓ませ方法を示した模式図である。
【発明を実施するための形態】
【００４１】
以下、図面に基づいて、本発明に係る室外機を備える空気調和機の実施形態について説
明する。
【００４２】
［空気調和機の全体構成］
本実施形態の空気調和機１は、図１に示すように、室内の壁面等に設置される室内機２
と、室外に設置される室外機３と、室内機２と室外機３とを接続する接続配管４とを備え
ている。そして、室内機２内及び室外機３内に収納された機器・弁類と、接続配管４とが
接続されて冷媒回路を構成している。冷媒回路は、主として、室内熱交換器２０、室外熱
交換器３０、圧縮機３１および電動膨張弁３２により構成される。冷房運転時には、圧縮
機３１から吐出された高温高圧冷媒が室外熱交換器３０に流入する。そして、室外熱交換
器（凝縮器）３０で凝縮した冷媒は、電動膨張弁３２で減圧された後、室内熱交換器２０
に流入する。そして、室内熱交換器（蒸発器）２０で蒸発した冷媒が、圧縮機３１の吸入
側に戻る。このようにして、室内熱交換器２０の周囲の空気が冷却されて、冷風が室内に
供給される。また、暖房運転時には、圧縮機３１から吐出された高温高圧冷媒が室内熱交
換器２０に流入する。そして、室内熱交換器（凝縮器）２０で凝縮した冷媒は、電動膨張
弁３２で減圧された後、室外熱交換器３０に流入する。そして、室外熱交換器（蒸発器）
３０で蒸発した冷媒が、圧縮機３１の吸入側に戻る。このようにして、室内熱交換器２０
の周囲の空気が加熱されて、温風が室内に供給される。なお、本実施形態では、本発明の
「室外機」を空気調和機に適用したが、本発明の「室外機」は、給湯器にも適用可能であ
る。この場合、給湯器は、ヒートポンプユニットとしての室外機と、タンクユニットとを
備える。
【００４３】
［室内機］
室内機２は、上記した室内熱交換器２０と、室内熱交換器２０に付設される室内ファン
（クロスフローファン）２１とを備えている。
【００４４】
［室外機］
室外機３は、上記した室外熱交換器３０と、吸入した冷媒を圧縮する圧縮機３１と、室
外熱交換器３０に接続された電動膨張弁３２と、室外熱交換器３０に付設される室外ファ
ン（プロペラファン）３３と、圧縮機３１の吸入側に接続されるアキュームレータ３４と
、圧縮機３１の吐出側に接続される四路切換弁３５とを備えている。また、室外機３には
、接続配管４が接続される液閉鎖弁３６及びガス閉鎖弁３７が設けられている。
【００４５】
［ケーシング］
上記した各機器（圧縮機３１，電動膨張弁３２，室外ファン３３，アキュームレータ３
４，四路切換弁３５）は、図２に示すように、略箱状のケーシング４０内に収容されてい
る。このケーシング４０は、圧縮機３１などが載置される底板４１と、底板４１の縁部か
ら立設される側板４２と、底板４１に対向配置される天板４３とを含んでいる。側板４２
は、ケーシング４０の右側面を構成する右側板４４と、ケーシング４０の左側面を構成す
る左側板（図示せず）と、ケーシング４０の前面を構成する前板４５とを含んでいる。天
板４３は、ケーシング４０の天面を構成する矩形状の天面部４３ａと、天面部４３ａの各
端部に直交接続された縁部４３ｂとを有している。
【００４６】
［右側板］
図３及び図６に示すように、右側板４４は、水平断面が略Ｌ字状であって、ケーシング
４０の右側面に配置される本体部４４ａと、本体部４４ａの側端部から屈曲し且つケーシ
ング４０の裏面に配置される裏面部４４ｂとを有している。図３に示すように、右側板４
４の高さ方向（Ｚ方向）中央より上側には、ケーシング４０の内部に配置される端子台６
０に接続される配線（図示せず）をケーシング４０の内部から外部へ引き出すための配線
用開口部４６ａが設けられている。この配線用開口部４６ａは、端子台６０の近傍位置で
開口している。具体的には、配線用開口部４６ａから露出する位置に端子台６０が配置さ
れており、右側板４４の高さ方向（Ｚ方向）及び幅方向（Ｘ方向）に関して、配線用開口
部４６ａの開口範囲内に端子台６０が設けられている。また、右側板４４の高さ方向（Ｚ
方向）中央より下側には、上記した液閉鎖弁３６及びガス閉鎖弁３７を露出させるための
閉鎖弁用開口部４６ｂが設けられている。
【００４７】
そして、本実施形態では、配線用開口部４６ａより上側部分４７は、図５及び図７に示
すように、閉鎖弁カバー５０の上端部５３と天板４３の縁部４３ｂとの係合部分Ｋの内側
、つまり、後述する内側壁部５３ｂの内側に配置されている。なお、上側部分４７は、内
側壁部５３ｂの上方位置まで延在している。
【００４８】
図３に示すように、右側板４４の外側面であって配線用開口部４６ａの周囲の少なくと
も一部には、溝部４８が形成されている。この溝部４８は、配線用開口部４６ａの上辺に
沿って形成される水平溝４８Ｈと、配線用開口部４６ａの左辺及び右辺に沿って形成され
る垂直溝４８Ｌ及び４８Ｒとを含んでいる。水平溝４８Ｈと、垂直溝４８Ｌ及び４８Ｒと
は、互いの端部が接続されており、全体として略コの字の溝部を形成している。右側板４
４の幅方向（Ｘ方向）に関して、水平溝４８Ｈの幅Ｗ１は、配線用開口部４６ａの幅Ｗ２
より長く設定されていると共に、右側板４４の高さ方向（Ｚ方向）に関して、垂直溝４８
Ｌ及び４８Ｒの幅Ｗ３は、いずれも配線用開口部４６ａの幅Ｗ４より長く設定されている
。ここで、本実施形態では、図５及び図７に示すように、右側板４４の水平溝４８Ｈの上
側部分には、外側に突出する庇部４９が設けられている。この庇部４９は、後述する閉鎖
弁カバー５０の内側壁部５３ｂの上方に配置されており、天板４３の縁部４３ｂと閉鎖弁
カバー５０の上端部５３との間の隙間を通過した水が、右側板４４を乗り越えて浸入する
のを防止する機能を有している。本実施形態では、天板４３の天面部４３ａと内側壁部５
３ｂとの間に空間を設けておき、当該空間に庇部４９を配置している。
【００４９】
［閉鎖弁カバー］
図４に示すように、右側板４４の外側には、樹脂製の閉鎖弁カバー（開口カバー）５０
が取り付けられている。この閉鎖弁カバー５０は、右側板４４に形成される配線用開口部
４６ａ（図３参照）、その配線用開口部４６ａから引き出される配線（図示せず）、及び
、右側板４４の閉鎖弁用開口部４６ｂ（図３参照）から露出する液閉鎖弁３６及びガス閉
鎖弁３７を覆うために設けられている。図４、図８及び図９に示すように、閉鎖弁カバー
５０には、作業者が製品を移動する際に把持する把持部５１と、外側に膨出し且つ液閉鎖
弁３６及びガス閉鎖弁３７を覆う膨出部５２とが設けられている。本実施形態の閉鎖弁カ
バー５０は、その上端部５３が天板４３の縁部４３ｂに係合している（図５及び図７参照
）。この閉鎖弁カバー５０の上端部５３は、図５、図７及び図９に示すように、天板４３
の縁部４３ｂの外側に配置される外側壁部５３ａと、天板４３の縁部４３ｂの内側に配置
される内側壁部５３ｂと、外側壁部５３ａと内側壁部５３ｂとの間に設けられる凹部５３
ｃとを含んでいる。そして、天板４３の縁部４３ｂが、上端部５３の凹部５３ｃ内に挿入
されることで、天板４３の縁部４３ｂと閉鎖弁カバー５０の上端部５３とが係合する。上
記した外側壁部５３ａ、内側壁部５３ｂ及び凹部５３ｃは、いずれも閉鎖弁カバー５０の
幅方向（Ｘ方向）に沿って延在している。
【００５０】
また、図６に示すように、閉鎖弁カバー５０の側端部５４Ｌ及び５４Ｒは、右側板４４
側に突出しており、上記した右側板４４の垂直溝４８Ｌ及び４８Ｒ内に配置されている。
この側端部５４Ｌ及び５４Ｒには、それぞれ凹部５５Ｌ及び５５Ｒが形成されている。当
該側端部５４Ｌ及び５４Ｒは、右側板４４の垂直溝４８Ｌ及び４８Ｒ内を上下方向（Ｚ方
向）にスライド可能であって、この垂直溝４８Ｌ及び４８Ｒ内を下方から上方にスライド
させることによって、閉鎖弁カバー５０の上端部５３に形成される凹部５３ｃ内に天板４
３の縁部４３ｂが挿入される。また、側端部５４Ｌ及び５４Ｒの右側板４４の幅方向（Ｘ
方向）の中央部分から垂直溝４８Ｌ及び４８Ｒに至る角部４８ａ及び４８ｂに対向する部
分には、それぞれ切欠部５６Ｌ及び５６Ｒが形成されている。
【００５１】
図５、図７及び図９に示すように、外側壁部５３ａの先端部分であって内側壁部５３ｂ
に対向する部分５３ｄ、及び、内側壁部５３ｂの先端部分であって外側壁部５３ａに対向
する部分５３ｅは、テーパ状に形成されており、天板４３の縁部４３ｂを凹部５３ｃに挿
入しやすくなっている。また、本実施形態では、内側壁部５３ｂの高さＨ２は、外側壁部
５３ａの高さＨ１より低くなっている（図９参照）。
【００５２】
次に、端子台６０などの電装部品への浸水を防止するトラップ構造について詳細に説明
する。
【００５３】
［閉鎖弁カバー５０と天板４３との間に形成されるトラップ構造Ｐ］
図７に示すように、閉鎖弁カバー５０の上端部５３と天板４３の縁部４３ｂとの間には
、閉鎖弁カバー５０の上端部５３からの水の浸入を防止するトラップ構造Ｐが形成されて
いる。このトラップ構造Ｐは、閉鎖弁カバー５０の上端部５３に形成される凹部５３ｃ内
に天板４３の縁部４３ｂが挿入されることによって構成されている。トラップ構造Ｐは、
外側壁部５３ａと天板４３の縁部４３ｂとの間に形成される垂直隙間Ａ、凹部５３ｃ内の
底面と天板４３の縁部４３ｂの下端面との間に形成される水平隙間Ｂ、及び、内側壁部５
３ｂと天板４３の縁部４３ｂとの間に形成される垂直隙間Ｃを含んでいる。この垂直隙間
Ａ、水平隙間Ｂ及び垂直隙間Ｃは、全体として略コの字状の蛇行した隙間を形成している
。図７では、各隙間Ａ，Ｂ，Ｃの間隔を誇張して描写しているが、実際には、天板４３の
縁部４３ｂと閉鎖弁カバー５０の上端部５３とは実質的に接触している。
【００５４】
［閉鎖弁カバー５０と右側板４４との間に形成されるトラップ構造Ｑ］
図７に示すように、閉鎖弁カバー５０の上端部５３の内側壁部５３ｂと右側板４４との
間には、上記したトラップ構造Ｐの隙間を通過した水の浸入を防止するトラップ構造Ｑが
形成されている。このトラップ構造Ｑは、右側板４４の水平溝４８Ｈ内に内側壁部５３ｂ
が配置されることによって構成されている。このトラップ構造Ｑは、内側壁部５３ｂの上
端面と右側板４４の庇部４９との間に形成される水平隙間Ｄ、及び、水平溝４８Ｈと内側
壁部５３ｂとの間に形成される垂直隙間Ｅを含んでいる。この水平隙間Ｄ及び垂直隙間Ｅ
は、全体として略Ｌの字状の隙間を形成している。図７では、各隙間Ｄ，Ｅの間隔を誇張
して描写しているが、実際には、右側板４４と閉鎖弁カバー５０の内側壁部５３ｂとは実
質的に接触している。
【００５５】
そして、上記した、垂直隙間Ａ、水平隙間Ｂ、垂直隙間Ｃ、水平隙間Ｄ及び垂直隙間Ｅ
は、全体として略Ｓ字状の蛇行した隙間を形成している。
【００５６】
［天板４３と右側板４４との間に形成されるトラップ構造Ｒ］
図７に示すように、天板４３と右側板４４の庇部４９との間には、上記したトラップ構
造Ｐの隙間を通過した水の浸入を防止するトラップ構造Ｒが形成されている。このトラッ
プ構造Ｒは、庇部４９が内側壁部５３ｂの上方に配置されると共に、庇部４９が天板４３
の内壁面に沿って配置されることによって形成されている。このトラップ構造Ｒは、天板
４３の縁部４３ｂと庇部４９の先端面との間に形成される垂直隙間Ｆ、及び、天板４３の
天面部４３ａと庇部４９の上端面との間に形成される水平隙間Ｇを含んでいる。この垂直
隙間Ｆ及び水平隙間Ｇは、全体として略Ｌ字状の隙間を形成している。図７では、各隙間
Ｆ，Ｇの間隔を誇張して描写しているが、実際には、天板４３の縁部４３ｂと庇部４９と
の間には微小な隙間しか形成されていない。なお、天板４３の縁部４３ｂと庇部４９とを
接触させてもよい。この場合、天板４３の縁部４３ｂと庇部４９との間に形成される隙間
Ｆ及びＧが実質的に無くなり、右側板４４の庇部４９と天板４３の縁部４３ｂとの間を介
した端子台６０などの電装部品への浸水を確実に抑止することができる。
【００５７】
［閉鎖弁カバー５０と右側板４４との間に形成されるトラップ構造Ｓ］
図６に示すように、上記したトラップ構造Ｐ，Ｑ，Ｒは、閉鎖弁カバー５０の上端部５
３周辺からの浸水を防止するために設けられているが、トラップ構造Ｓは、閉鎖弁カバー
５０の側端部５４Ｌ及び５４Ｒの周辺からの浸水を防止するために設けられている。図６
に示すように、このトラップ構造Ｓは、右側板４４の垂直溝４８Ｌ及び４８Ｒ内に、閉鎖
弁カバー５０の側端部５４Ｌ及び５４Ｒがそれぞれ配置されることによって構成されてい
る。
【００５８】
［電装品ボックス］
次に、図１０〜図１３を参照して、ケーシング４０の内部に配置される電装品ボックス
７０について詳細に説明する。この電装品ボックス７０には、各種の電子部品が実装され
た制御基板６２が取り付けられる。この制御基板６２は、圧縮機３１、電動膨張弁３２、
室外ファン３３などの各機器の動作を制御している。
【００５９】
電装品ボックス７０は、樹脂製であって、一体成形によって構成されている。図１０に
示すように、電装品ボックス７０の内部には、制御基板６２を収容する基板収容部７０ａ
が設けられている。基板収容部７０ａは、天面部７１と、底面部７２と、右側面部７３と
、左側面部７４とによって囲まれた領域であって、制御基板６２は、電装品ボックス７０
内で立設した状態で配置される。この基板収容部７０ａには、基板収容部７０ａの深さ方
向（Ｘ方向）に関して、制御基板６２を所定の位置で支持する複数の支持リブ７５が各所
に設けられている。また、基板収容部７０ａには、制御基板６２の切欠部（図示省略）に
係合する爪部７６が設けられている。この爪部７６は、撓み変形可能であって、当該爪部
７６が切欠部（図示省略）に係合することによって制御基板６２が固定される。上記した
爪部７６や基板収容部７０ａの各所に設けられる突起部７７（図１０参照）に対応する部
分には、金型を抜くための金型用穴７８が形成されている。
【００６０】
また、本実施形態の電装品ボックス７０の右側面部７３の外側面には、端子台取付板６
１を設置するための取付板設置部７０ｂが設けられている。この取付板設置部７０ｂには
、図１１に示すように、電装品ボックス７０の内部側及び外部側（Ｙ方向）に撓み変形可
能な爪部８０Ａ及び８０Ｂが設けられている。この爪部８０Ａ及び８０Ｂの各々は、右側
面部７３をコの字状に型抜くことによって形成されている。爪部８０Ａは、Ｘ方向の一方
側を支点としてＸ方向の他方側が撓むように構成されており、且つ、爪部８０Ｂは、Ｘ方
向の他方側を支点としてＸ方向の一方側が撓むように構成されている。このように構成す
れば、爪部８０Ａに挟まれた配線６５（図１２参照）の抜け方向と、爪部８０Ｂに挟まれ
た配線６５の抜け方向とが互いに反対方向となるので、爪部８０Ａ及び８０Ｂに挟まれた
配線６５の固定が外れるを防止することができる。これにより、配線６５の処理が容易に
なる。
【００６１】
そして、本実施形態では、図１１に示すように、爪部８０Ａの外側面（端子台取付板６
１に対向する面）には、突起部８１Ａが形成されていると共に、爪部８０Ｂの外側面（端
子台取付板６１に対向する面）には、突起部８１Ｂが形成されている。この突起部８１Ａ
及び８１Ｂは、Ｚ方向に延在するように形成されている。図１２に示すように、爪部８０
Ａは、その突起部８１Aが取付板設置部７０ｂに設置される端子台取付板６１に押圧され
て、電装品ボックス７０の内側に撓む。この際、爪部８０Ａが電装品ボックス７０の内側
に撓むことによって、当該電装品ボックス７０内に引き回される配線６５を挟持する構造
となる。なお、図１２では、爪部８０Ａについて記載したが、爪部８０Ｂについても同様
であるのでその説明を省略する。これにより、電装品ボックス７０内の配線６５を爪部８
０Ａ及び８０Ｂで固定することが可能となる。この図１２では、配線６５を突起部８１Ａ
の手前で固定したが、図１３に示すように、配線６５を突起部８１Ａを乗り越えた位置で
固定してもよい。この場合、突起部８１Ａが、配線６５の抜け防止手段として機能するの
で、より強固に配線６５を固定することが可能となる。
【００６２】
［本実施形態の室外機の特徴］
本実施形態の室外機には、以下のような特徴がある。
【００６３】
本実施形態の室外機３では、配線用開口部４６ａの上方の位置において天板４３の縁部
４３ｂと閉鎖弁カバー５０の上端部５３とが係合するので、配線用開口部４６ａ付近に閉
鎖弁カバー５０の取付箇所を設ける場合に比べて、当該係合部分Ｋと配線用開口部４６ａ
との間の距離を確保することができる。これにより、ケーシング４０の外部から内部の端
子台６０などの電装部品までの浸水経路長を長くすることができるので、当該係合部分Ｋ
を介して浸水する水の勢いを低下させて、端子台６０などの電装部品への浸水を抑止する
ことができる。
【００６４】
本実施形態の室外機３では、外側壁部５３ａと内側壁部５３ｂとの間に設けられる凹部
５３ｃ内に天板４３の縁部４３ｂを挿入することで、天板４３の縁部４３ｂと閉鎖弁カバ
ー５０の上端部５３との間に蛇行した隙間（垂直隙間Ａ、水平隙間Ｂ、垂直隙間Ｃ）が形
成される。このように構成されたトラップ構造Ｐにより、端子台６０などの電装部品への
浸水を効果的に抑止することができる。
【００６５】
本実施形態の室外機３では、右側板４４の配線用開口部４６ａより上側部分４７を、内
側壁部５３ｂの内側に配置することによって、当該上側部分４７が端子台６０などの電装
部品への浸水を防ぐ防水壁として機能するので、端子台６０などの電装部品への浸水をさ
らに抑止することができる。
【００６６】
本実施形態の室外機３では、右側板４４に庇部４９を設けることによって、ケーシング
４０の外部から浸入した水が、天板４３の縁部４３ｂと閉鎖弁カバー５０の上端部５３と
の係合部分Ｋ（トラップ構造Ｐ）を通過した場合でも、内側壁部５３ｂの上方に配置され
る庇部４９によって、水が右側板４４を乗り越えてその右側板４４の内側に浸水するのを
抑止することができる。
【００６７】
本実施形態の室外機３では、右側板４４の配線用開口部４６ａより上側部分４７と内側
壁部５３ｂとを接触させることによって、内側壁部５３ｂと右側板４４との間に形成され
る隙間が実質的に無くなり、閉鎖弁カバー５０の内側壁部５３ｂと右側板４４の上側部分
４７との間を介した端子台６０などの電装部品への浸水を確実に抑止することができる。
【００６８】
本実施形態の室外機３では、凹部５３ｃを閉鎖弁カバー５０の幅方向（Ｘ方向）に沿っ
て形成することによって、配線用開口部４６ａの上辺の全幅をカバーすることが可能とな
るので、配線用開口部４６ａの上方からの浸水を抑止することが可能となる。
【００６９】
本実施形態の室外機３では、右側板４４の外側面であって配線用開口部４６ａの周囲の
少なくとも一部に、溝部４８を形成することによって、端子台６０などの電装部品の近傍
位置に配置される配線用開口部４６ａの手前で、ケーシング４０の外部から侵入した水を
当該溝部４８によって所定の排水箇所に案内することができる。
【００７０】
本実施形態の室外機３では、右側板４４の垂直溝４８Ｌ及び４８Ｒ内に閉鎖弁カバー５
０の側端部５４Ｌ及び５４Ｒを挿入することで、右側板４４の垂直溝４８Ｌ及び４８Ｒと
閉鎖弁カバー５０の側端部５４Ｌ及び５４Ｒとの間に蛇行した隙間が形成される。このよ
うに構成されたトラップ構造Ｓにより、配線用開口部４６ａの側方において、端子台６０
などの電装部品への浸水を効果的に抑止することができる。
そして、垂直溝４８Ｌ及び４８Ｒを右側板４４の高さ方向（Ｚ方向）に沿って形成する
ことによって、配線用開口部４６ａの側辺の全幅をカバーすることが可能となるので、配
線用開口部４６ａの側方からの浸水をさらに抑止することが可能となる。
【００７１】
本実施形態の室外機３では、垂直溝４８Ｌ及び４８Ｒを配線用開口部４６ａの両側に設
けることによって、配線用開口部４６ａの両側方において、端子台６０などの電装部品へ
の浸水を効果的に抑止することができる。
【００７２】
本実施形態の室外機３では、右側板４４の水平溝４８Ｈ内に閉鎖弁カバー５０の上端部
５３を挿入することで、右側板４４の水平溝４８Ｈと閉鎖弁カバー５０の上端部５３との
間に蛇行した隙間（水平隙間Ｄ及び垂直隙間Ｅ）が形成される。このように構成されたト
ラップ構造Ｑにより、配線用開口部４６ａの上方において、端子台６０などの電装部品へ
の浸水を効果的に抑止することができる。
そして、その水平溝４８Ｈを右側板４４の幅方向（Ｘ方向）に沿って形成することによ
って、配線用開口部４６ａの上辺の全幅をカバーすることが可能となるので、配線用開口
部４６ａの上方からの浸水をさらに抑止することが可能となる。
【００７３】
また、本実施形態の室外機３では、電装品ボックス７０の外側に他部材（端子台取付板
６１）を取り付ける際の押圧力により爪部８０Ａ及び８０Ｂを撓ませる構造を採用してい
る。このように構成すれば、（１）端子台取付板６１や端子台６０などの現行の部品を外
側からの押し付け部品として利用することで、部品点数を増加することなく、本構造の実
現が可能となる。（２）また、突起部７７のように電装品ボックス７０の内側に突出する
突起部を設ける場合には、金型を抜くための金型用穴７８が必要になると共に、その穴７
８を塞ぐためのシール材が必要になるが、突起部８１Ａ及び８１Ｂは、爪部８０Ａ及び８
０Ｂの外側面に形成しているので、金型用穴７８やシール材などが不要になる。
【００７４】
以上、本発明の実施形態について図面に基づいて説明したが、具体的な構成は、これら
の実施形態に限定されるものでないと考えられるべきである。本発明の範囲は、上記した
実施形態の説明だけではなく特許請求の範囲によって示され、さらに特許請求の範囲と均
等の意味および範囲内でのすべての変更が含まれる。
【００７５】
例えば、上記実施形態では、電装品ボックス７０の爪部８０Ａ及び８０Ｂに突起部８１
Ａ及び８１Ｂを形成して、当該突起部８１Ａ及び８１Ｂを端子台取付板６１で押圧するこ
とによって、爪部８０Ａ及び８０Ｂを電装品ボックス７０の内側に撓ませたが、本発明は
これに限らず、図１４に示した変形例に係る電装品ボックス１７０及び端子台取付板１６
１のように構成してもよい。具体的には、変形例に係る電装品ボックス１７０には、突起
部が設けられていない爪部１８０が設けられており、且つ、端子台取付板１６１の当該爪
部１８０に対向する部分には、ビスなどの突起部１６２が設けられている。このように構
成すれば、爪部１８０は、端子台取付板１６１に設けられる突起部１６２に押圧されて、
電装品ボックス７０の内側に撓む。これにより、電装品ボックス７０内の配線６５を爪部
１８０で固定することが可能となる。つまり、前述した爪部８０Ａ及び８０Ｂを撓ませる
ために設けられる突起部８１Ａ及び８１Ｂは、爪部８０Ａ、８０Ｂ側に形成されていても
よいし、端子台取付板６１側に形成されていてもよい。また、上記した突起部１６２とし
てのビスが他部品の固定のためのビスである場合、当該爪部８０Ａ及び８０Ｂによってビ
スの先端部のエッジをカバーすることが可能となる。
【産業上の利用可能性】
【００７６】
本発明を利用すれば、ケーシングの外部から内部の電装部品への水の浸入を抑制するこ
とが可能な室外機を得ることができる。
【符号の説明】
【００７７】
１  空気調和機
３  室外機
４０  ケーシング
４１  底板
４３  天板
４３ａ  天面部
４３ｂ  縁部
４４  右側板
４６ａ  配線用開口部（開口部）
４７  上側部分
４８  溝部
４８Ｈ  水平溝（上方溝部）
４８Ｌ，４８Ｒ  垂直溝（側方溝部）
４９  庇部
５０  閉鎖弁カバー（開口カバー）
５３  上端部
５４Ｌ，５４Ｒ  側端部
６０  端子台（電装部品）
５３ａ  外側壁部
５３ｂ  内側壁部
５３ｃ  凹部 
【手続補正３】
【補正対象書類名】図面
【補正対象項目名】図３
【補正方法】変更
【補正の内容】
【図３】
2011021776.tif 000022
【手続補正４】
【補正対象書類名】図面
【補正対象項目名】図５
【補正方法】変更
【補正の内容】
【図５】
2011021776.tif 000023
【手続補正５】
【補正対象書類名】図面
【補正対象項目名】図９
【補正方法】変更
【補正の内容】
【図９】
2011021776.tif 000024
【手続補正６】
【補正対象書類名】図面
【補正対象項目名】図１２
【補正方法】変更
【補正の内容】
【図１２】
2011021776.tif 000025
【手続補正７】
【補正対象書類名】図面
【補正対象項目名】図１３
【補正方法】変更
【補正の内容】
【図１３】
2011021776.tif 000026